(57)【特許請求の範囲】
【請求項１】
ワイヤレス通信のための方法であって、
エッジコンピューティングデバイスで、ネットワークからのコンテンツについての、モバイルデバイスによる要求を走査すること、エッジコンピューティングデバイスは、前記コンテンツについての要求のための中継ポイントとして働く、と、
前記エッジコンピューティングデバイスで、スモールセル中の基地局へのモバイルデバイスによってトリガされた入力に少なくとも部分的に基づいて前記スモールセル中の前記モバイルデバイスの物理的動作コンテキストを決定すること、前記決定された物理的動作コンテキストは、前記スモールセル内での前記モバイルデバイスのロケーションを備え、ここにおいて、前記基地局のワイヤレス通信リソースが、第２のモジュール中に格納される前記エッジコンピューティングデバイスとコロケートされる第１のモジュール中に格納される、と、
前記エッジコンピューティングデバイスによって、前記コンテンツについての前記走査された要求および前記物理的動作コンテキスト中に備えられる前記ロケーションに少なくとも部分的に基づいて前記モバイルデバイスのユーザに刺激を与えるように出力デバイスを制御することと
を備える、方法。
【請求項２】
前記出力デバイスを制御することが、
ディスプレイに対する前記モバイルデバイスの近接度に少なくとも部分的に基づいて前記ディスプレイを制御すること
を備える、請求項１に記載の方法。
【請求項３】
前記モバイルデバイスの前記物理的動作コンテキストを決定することが、
前記スモールセル中のセンサーからセンサーデータを収集することと、
前記モバイルデバイスの前記物理的動作コンテキストを決定するために前記センサーデータを分析することと
を備える、請求項１に記載の方法。
【請求項４】
前記センサーが、マイクロフォン、温度センサー、光センサー、またはカメラのうちの１つまたは複数である、請求項３に記載の方法。
【請求項５】
前記決定された物理的動作コンテキストに少なくとも部分的に基づいてデータコンテンツにアノテーションを付けることと、
前記モバイルデバイスに前記アノテーション付きデータコンテンツを送信することと
をさらに備える、請求項１に記載の方法。
【請求項６】
前記データコンテンツにアノテーションを付けることが、前記データコンテンツに広告付きのアノテーションを付けることを備える、請求項５に記載の方法。
【請求項７】
基地局のワイヤレス通信リソースおよびエッジコンピューティングデバイスを含む装置であって、
前記エッジコンピューティングデバイスで、スモールセル中の前記基地局へのモバイルデバイスによってトリガされた入力に少なくとも部分的に基づいて前記スモールセル中のモバイルデバイスの物理的動作コンテキストを決定するための手段、前記決定された物理的動作コンテキストは、前記スモールセル内での前記モバイルデバイスのロケーションを備え、ここにおいて、前記基地局の前記ワイヤレス通信リソースが、第２のモジュール中に格納される前記エッジコンピューティングデバイスとコロケートされる第１のモジュール中に格納される、と、
前記エッジコンピューティングデバイスで、ネットワークからのコンテンツについての、前記モバイルデバイスによる要求を走査する手段、前記エッジコンピューティングデバイスは、前記コンテンツについての要求のための中継ポイントとして働く、と、
前記エッジコンピューティングデバイスによって、前記コンテンツについての前記走査された要求および前記決定された物理的動作コンテキスト中に備えられるロケーションに少なくとも部分的に基づいて前記モバイルデバイスのユーザに刺激を与えるように出力デバイスを制御するための手段と
を備える、装置。
【請求項８】
前記出力デバイスを制御するための前記手段が、
ディスプレイに対する前記モバイルデバイスの近接度に少なくとも部分的に基づいて前記ディスプレイを制御するための手段
を備える、請求項７に記載の装置。
【請求項９】
前記モバイルデバイスの前記物理的動作コンテキストを決定するための前記手段が、
前記スモールセル中のセンサーからセンサーデータを収集するための手段
を備え、
前記装置が、
前記モバイルデバイスの前記物理的動作コンテキストを決定するために前記センサーデータを分析するための手段
をさらに備える、請求項７に記載の装置。
【請求項１０】
前記センサーが、マイクロフォン、温度センサー、光センサー、またはカメラのうちの１つまたは複数である、請求項９に記載の装置。
【請求項１１】
前記決定された物理的動作コンテキストに少なくとも部分的に基づいてデータコンテンツにアノテーションを付けるための手段と、
前記モバイルデバイスに前記アノテーション付きデータコンテンツを送信するための手段と
をさらに備える、請求項７に記載の装置。
【請求項１２】
前記出力デバイスが、ディスプレイ、１つまたは複数のライト、ライトのアレイ、サイン、またはプリンタを備える、請求項７に記載の装置。
【請求項１３】
前記スモールセルが、ピコセル、フェムトセル、マイクロセル、またはＷｉ−Ｆｉアクセスポイントのうちの１つである、請求項１２に記載の装置。
【請求項１４】
前記スモールセルが、ワイヤレスワイドエリアネットワーク（ＷＷＡＮ）トランシーバとワイヤレスローカルエリアネットワーク（ＷＬＡＮ）トランシーバとを備える、請求項１２に記載の装置。
【請求項１５】
エッジコンピューティングデバイスにおける通信のためのコードを備えるコンピュータプログラムであって、前記コードが、請求項１乃至６の何れか１項のステップを前記エッジコンピューティングデバイスで行うように実行可能な命令を備える、コンピュータプログラム。
【発明の詳細な説明】
【相互参照】
【０００１】
[0001]本特許出願は、本出願の譲受人に譲渡された、２０１５年８月２８日に出願された「Ａｕｇｍｅｎｔｉｎｇ  Ｒｅａｌｉｔｙ  Ｕｓｉｎｇ  ａ  Ｓｍａｌｌ  Ｃｅｌｌ」と題する、Ｄａｓらによる米国特許出願第１４／８３９，６３８号の優先権を主張する。
【背景技術】
【０００２】
[0002]本開示は、たとえば、ワイヤレス通信システムに関し、より詳細には、スモールセル基地局とコロケートされたエッジコンピューティングデバイスに関する。
【０００３】
[0003]ワイヤレス通信システムは、音声、ビデオ、パケットデータ、メッセージング、およびブロードキャストなどの様々なタイプの通信コンテンツを提供するために広く展開されている。これらのシステムは、利用可能なシステムリソース（たとえば、時間、周波数、空間および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]概して、ワイヤレス多元接続通信システムは、各々が複数のワイヤレスデバイスのための通信を同時にサポートする、いくつかの基地局を含むことができる。基地局は、ダウンストリームリンクおよびアップストリームリンク上でワイヤレスデバイスと通信することができる。各基地局は、セルのカバレージエリアと呼ばれることがあるカバレージ範囲を有する。これらの基地局のうちのいくつかは、ピコセル、フェムトセル、またはマイクロセルなどの低電力基地局であり得る。そのようなスモールセルは、マクロセルよりも小さい地理的エリアをカバーし、ネットワークプロバイダのサービスに加入しているユーザ機器（ＵＥ）によるアクセスを可能にする。
【０００５】
[0005]現在のワイヤレスワイドエリアネットワーク（ＷＷＡＮ）は、概して、ＷＷＡＮの反対側のノードにアクセスするエンドユーザのワイヤレスデバイスから遠く離れて、移動体通信事業者のＷＷＡＮの外部のノード上にコンテンツおよびクラウドリソースを配置する。同様に、ワイヤレスローカルエリアネットワーク（ＷＬＡＮ）のユーザは、概して、ＷＬＡＮから遠く離れたこれらのノード上のコンテンツおよびクラウドリソースにアクセスし、これにより、ノードは、同様に、ＷＬＡＮにアクセスするエンドユーザのワイヤレスデバイスから遠く離れたものになる。ＷＷＡＮの縁部の近くまたはＷＬＡＮ中でワイヤレスネットワークに接続されたエンドユーザが、それらのワイヤレスデバイスを介してコンテンツまたはサービスを要求するとき、コンテンツは、概して、ＷＷＡＮまたはＷＬＡＮを通してこれらのノードからダウンロードされ、無線リンクを介してワイヤレスデバイスに配信される。同じコンテンツを求める後続の要求によって、ノードからＷＷＡＮまたはＷＬＡＮを通してワイヤレスデバイスにコンテンツが再びダウンロードされることになる。さらに、ビデオトラフィックは、ＷＷＡＮおよびＷＬＡＮを介して送信されるデータのこれまでになく多い割合まで増加した。口コミビデオおよびライブテレビジョンプログラミングにより需要の予測不可能なスパイクは、表示およびコンテンツ解像度を増加し、拡張ユーザ特徴の導入はすべて、データ使用量のこの過成長に寄与している。要求されたコンテンツの重複は、バックホールおよびトランスポートネットワーク上のリソースを浪費することができる。同様に、トラフィック輻輳が発生し得る高需要の時間中に、コンテンツ配信は、ユーザエクスペリエンスを低減するように影響を及ぼされる可能性がある。たとえば、要求されたデータを与えるコストが上昇する可能性があり、レイテンシまたはバッファリングが増加する可能性があり、および／または、たとえば、ビデオを低減品質レベルにトランスコードすることによって、配信データの品質が低減される可能性がある。
【０００６】
[0006]さらに、ワイヤレスデバイスは、特定のモバイルデバイス中で限定されたバッテリー寿命および処理能力を有することができる。ＷＷＡＮまたはＷＬＡＮ上での送信のためのコンテンツを復号および符号化することを含む、ワイヤレスデバイス上で実行されるアプリケーションおよびプロセスは、有意なモバイルデバイスリソースを使用することができる。これらのアプリケーションおよびプロセスの実行は、バッテリー寿命を短縮し、デバイスパフォーマンスを劣化させる可能性がある。
【発明の概要】
【０００７】
[0007]スモールセルは、ワイヤレスネットワークにおいてマクロセルインフラストラクチャのレベルの下で動作する無線アクセスノードである。スモールセルは、マイクロセルと、フェムトセルと、ピコセルと、Ｗｉ−Ｆｉ（登録商標）アクセスポイントと、ワイヤレスワイドエリアネットワーク（ＷＷＡＮ）機能とワイヤレスローカルエリアネットワーク（ＷＬＡＮ）機能とを統合するアクセスポイントとを含むことができる。スモールセルは、エッジコンピューティングデバイスとコロケートされ得る基地局を含むことができる。エッジコンピューティングデバイスは、スモールセル基地局内に統合されるか、またはスモールセルにおいてエッジコンピューティングリソースを与えるスモールセル基地局に通信可能に結合され、それの極近傍にある物理的に別個のモジュールであり得る。エッジコンピューティングデバイスは、スモールセルに超近接している入出力デバイスと通信することができる。追加または代替として、エッジコンピューティングデバイスは、スモールセルおよび入出力センサーに超近接しているワイヤレスデバイスと通信することができる。入出力デバイスは、（たとえば、マイクロフォン、光センサー、カメラ、サーモメータなどを介して）環境の態様を感知し、入出力デバイスの超近傍にいる個人に刺激を与えることが可能であり得る。刺激は、入出力デバイスによって収集された環境情報に応じたものであるか、またはそれに基づいたものであり得る。刺激は、本質的に、聴覚的、視覚的、芳香的、または、触覚的なものであり得る。
【０００８】
[0008]ワイヤレス通信の方法について説明する。本方法は、スモールセル中の基地局へのモバイルデバイスによってトリガされた入力に少なくとも部分的に基づいてスモールセル中のモバイルデバイスの物理的動作コンテキストを決定することと、ここにおいて、基地局は、エッジコンピューティングデバイスとコロケートされる、エッジコンピューティングデバイスによって、決定された物理的動作コンテキストに少なくとも部分的に基づいてモバイルデバイスのユーザに刺激を与えるように出力デバイスを制御することとを含むことができる。
【０００９】
[0009]ワイヤレス通信のための装置について説明する。本装置は、スモールセル中の基地局へのモバイルデバイスによってトリガされた入力に少なくとも部分的に基づいてスモールセル中のモバイルデバイスの物理的動作コンテキストを決定するための手段と、ここにおいて、基地局は、エッジコンピューティングデバイスとコロケートされる、エッジコンピューティングデバイスによって、決定された物理的動作コンテキストに少なくとも部分的に基づいてモバイルデバイスのユーザに刺激を与えるように出力デバイスを制御するための手段とを含むことができる。
【００１０】
[0010]ワイヤレス通信のためのさらなる装置について説明する。本装置は、プロセッサと、プロセッサと電子通信しているメモリと、メモリ中に記憶された、スモールセル中の基地局へのモバイルデバイスによってトリガされた入力に少なくとも部分的に基づいてスモールセル中のモバイルデバイスの物理的動作コンテキストを決定することと、ここにおいて、基地局は、エッジコンピューティングデバイスとコロケートされる、エッジコンピューティングデバイスによって、決定された物理的動作コンテキストに少なくとも部分的に基づいてモバイルデバイスのユーザに刺激を与えるように出力デバイスを制御することとを行うようにプロセッサによって実行可能である命令とを含むことができる。
【００１１】
[0011]ワイヤレスにおける通信のためのコードを記憶する非一時的コンピュータ可読媒体について説明する。コードは、スモールセル中の基地局へのモバイルデバイスによってトリガされた入力に少なくとも部分的に基づいてスモールセル中のモバイルデバイスの物理的動作コンテキストを決定することと、ここにおいて、基地局は、エッジコンピューティングデバイスとコロケートされる、エッジコンピューティングデバイスによって、決定された物理的動作コンテキストに少なくとも部分的に基づいてモバイルデバイスのユーザに刺激を与えるように出力デバイスを制御することとを行うように実行可能な命令を含むことができる。
【００１２】
[0012]本明細書で説明する方法、装置、または非一時的コンピュータ可読媒体のいくつかの例は、コンテンツについての要求のコンテンツを走査するためのプロセス、機能、手段、または命令をさらに含み得る。いくつかの例では、出力デバイスを制御することは、スモールセル中のモバイルデバイスによって行われたコンテンツについての要求にさらに少なくとも部分的に基づき、方法はファーザーする。追加または代替として、いくつかの例では、出力デバイスを制御することは、ディスプレイに対するモバイルデバイスの近接度に少なくとも部分的に基づいてディスプレイを制御することを備える。
【００１３】
[0013]本明細書で説明する方法、装置、または非一時的コンピュータ可読媒体のいくつかの例では、モバイルデバイスの物理的動作コンテキストを決定することは、スモールセル中のセンサーからセンサーデータを収集することと、モバイルデバイスの物理的動作コンテキストを決定するためにセンサーデータを分析することとを備える。いくつかの例では、センサーは、マイクロフォン、温度センサー、光センサー、またはカメラのうちの１つまたは複数である。
【００１４】
[0014]本明細書で説明する方法、装置、または非一時的コンピュータ可読媒体のいくつかの例は、決定された物理的動作コンテキストに少なくとも部分的に基づいてデータコンテンツにアノテーションを付ける(annotating data content)ことと、モバイルデバイスにアノテーション付きデータコンテンツを送信することとを行うためのプロセス、特徴、手段、または命令をさらに含むことができる。いくつかの例では、データコンテンツにアノテーションを付けることは、データコンテンツに広告付きのアノテーションを付けることを備える。
【００１５】
[0015]本明細書で説明する方法、装置、または非一時的コンピュータ可読媒体のいくつかの例では、出力デバイスは、ディスプレイ、１つまたは複数のライト、ライトのアレイ、サイン、またはプリンタを備える。いくつかの例では、基地局のワイヤレス通信リソースは、第１のモジュール中に格納され、エッジコンピューティングデバイスは、第１のモジュールと通信しており、それとコロケートされた第２のモジュール中に格納される。本明細書で説明する方法、装置、または非一時的コンピュータ可読媒体のいくつかの例では、スモールセルは、ピコセル、フェムトセル、マイクロセル、またはワイヤレスフィデリティー（Ｗｉ−Ｆｉ）アクセスポイントのうちの１つである。いくつかの例では、スモールセルは、ワイヤレスワイドエリアネットワーク（ＷＷＡＮ）トランシーバとワイヤレスローカルエリアネットワーク（ＷＬＡＮ）トランシーバとを備える。
【００１６】
[0016]上記では、以下の発明を実施するための形態がよりよく理解され得るように、本開示による例の特徴および技術的利点をかなり広く概説した。さらなる特徴および利点について、以下で説明する。開示される概念および具体例は、本開示の同じ目的を実行するために他の構造を修正または設計するための基礎として容易に利用されることができる。そのような均等な構成は、添付の特許請求の範囲から逸脱しない。本明細書で開示される概念の特性、それらの編成と動作方法の両方は、関連する利点とともに、添付の図に関して検討すると、以下の説明からよりよく理解されよう。図の各々は、例示および説明のみの目的で提供されるものであり、特許請求の範囲の制限の定義として提供されるものではない。
【図面の簡単な説明】
【００１７】
[0017]以下の図面を参照すれば、本発明の性質および利点のさらなる理解が得られ得る。添付の図において、同様の構成要素または特徴は同じ参照ラベルを有することができる。さらに、同じタイプの様々な構成要素は、参照ラベルの後に、ダッシュと、同様の構成要素を区別する第２のラベルとを続けることによって区別されることができる。第１の参照ラベルのみが本明細書において使用される場合、その説明は、第２の参照ラベルにかかわらず、同じ第１の参照ラベルを有する同様の構成要素のうちのいずれか１つに適用可能である。
【図１Ａ】[0018]本開示の様々な態様による、ワイヤレス通信システムのブロック図。
【図１Ｂ】[0019]本開示の様々な態様による、ワイヤレス通信システムのブロック図。
【図２】[0020]本開示の様々な態様による、エッジコンピューティングプラットフォームをサポートするワイヤレス通信システムにおいて使用するために構成されたデバイスのブロック図。
【図３】[0021]本開示の様々な態様による、エッジコンピューティングプラットフォームをサポートするためにワイヤレス通信システムにおいて使用するために構成された別のデバイスのブロック図。
【図４】[0022]本開示の様々な態様による、ワイヤレス通信のために構成されたデバイスを示す図。
【図５】[0023]本開示の様々な態様による、エッジコンピューティングデバイスをサポートするワイヤレス通信システムのブロック図。
【図６】[0024]本開示の様々な態様による、エッジコンピューティングリソースを与えるために構成されたデバイスを示す図。
【図７】[0025]本開示の様々な態様による、スモールセル基地局とコロケートされたエッジコンピューティングリソースをサポートするプロセスフローの一例を示す図。
【図８】[0026]本開示の様々な態様による、スモールセル基地局とコロケートされたエッジコンピューティングリソースをサポートするプロセスフローの一例を示す図。
【図９】[0027]本開示の様々な態様による、スモールセル基地局とコロケートされたエッジコンピューティングリソースをサポートするプロセスフローの一例を示す図。
【図１０】[0028]本開示の様々な態様による、ワイヤレス通信のための方法を示す図。
【図１１】[0029]本開示の様々な態様による、ワイヤレス通信のための方法を示す図。
【図１２】[0030]本開示の様々な態様による、ワイヤレス通信のための方法を示す図。
【発明を実施するための形態】
【００１８】
[0031]以下の説明では、エッジコンピューティングデバイスは、スモールセル基地局とコロケートされることができる。スモールセル基地局は、認可スペクトルおよび無認可スペクトルで動作するワイヤレスワイドエリアネットワーク（ＷＷＡＮ）無線機を含むことができる。ＷＷＡＮ無線機は、他の無認可帯域技術との動作を可能にする適応を含むことができる。スモールセル基地局は、ＷＷＡＮ無線機を有することに加えて、ＷＬＡＮ（たとえば、Ｗｉ−Ｆｉ、Ｗｉ−ＭＡＸ、ＺｉｇＢｅｅ（登録商標）、Ｂｌｕｅｔｏｏｔｈ（登録商標）など）に接続するためにワイヤレスローカルエリアネットワーク（ＷＬＡＮ）無線機を有することができる。したがって、スモールセル基地局はまた、本開示に従ってＷＬＡＮアクセスポイントとして働くことができる。スモールセルは、ワイヤレスネットワークにおいてマクロセルインフラストラクチャのレベルの下で動作する無線アクセスノードである（たとえば、マイクロセル、フェムトセル、ピコセル、Ｗｉ−Ｆｉアクセスポイント、およびＷＷＡＮ機能とＷＬＡＮ機能とを統合するアクセスポイント）。さらに、スモールセルは、マクロセルと比較して小さい範囲を有する。エッジコンピューティングデバイスは、スモールセル基地局内に統合され得るか、またはスモールセル基地局と通信している物理的に別個のデバイスであり得る。いずれの場合も、エッジコンピューティングデバイスは、スモールセルのワイヤレスリソースを介してエッジコンピューティングデバイスと通信しているユーザのワイヤレスデバイスに極めて近接していることがある。関連するワイヤレスデバイスの位置に対するスモールセル基地局の極近傍は、ワイヤレスデバイスおよびそれらのユーザに拡張サポートおよびサービスを提供するために利用されることができる。
【００１９】
[0032]説明するエッジコンピューティングデバイスは、エッジコンピューティングデバイスと、スモールセルを通してエッジコンピューティングデバイスにワイヤレスに接続されたワイヤレスデバイスとの間のデータおよび／またはコンテンツの処理の動的分散をサポートすることができる。エッジコンピューティングデバイスはまた、コンテンツ、たとえば、ウェブページ、コンテンツ、およびデータをプリフェッチし、スモールセルに対して決定されたワイヤレスデバイスの特定のコンテキストに基づいてエッジコンピューティングデバイスにそれをキャッシュすることができる。エッジコンピューティングデバイスはまた、充実したローカル広告、拡張広告または他のコンテンツを与え、ワイヤレスデバイスユーザに近接している出力ディスプレイデバイスを使用したユーザのエクスペリエンスの拡張を可能にする広告サーバまたはエンジンをホストすることができる。そのような拡張の例としては、モバイルデバイス上のローカルマッピングデータの上に拡張現実画像を与えること、別のデバイス上に、たとえば、電気店中のテレビジョン、ディスプレイまたは他の出力デバイス上に音、光、および／または他の効果を追加することがあり得る。別の例では、異なる人々が電気店を動き回るにつれて彼らのロケーションを示すために、テレビジョンまたは他のディスプレイ上の異なる色の明滅ライトが使用されることができる。拡張は、たとえば、モバイルまたはワイヤレスデバイスのユーザに音、におい、光などによる視覚的刺激、あるいは泡または紙吹雪などの物体を与えることによる実際の現実のものであり得る。
【００２０】
[0033]本明細書で説明するエッジコンピューティングデバイスはまた、エッジコンピューティングデバイスにおいて広告を拡張するか、またはエッジコンピューティングデバイスの近くの出力においてユーザのエクスペリエンスを拡張するために、充実したローカル広告サーバとして動作することができる。本明細書で使用する広告は、たとえば、ユーザが製品またはサービスを購入するのを奨励するための商用広告に言及することができるが、ユーザへの情報の表示、通信、または他の頒布に言及することもできる。たとえば、博物館は、博物館中に展示品がどこにあるのかを観衆のメンバーに知らせるために広告をユーザし得る。別の例では、ビジネスは、どこに向かうべきなのかをユーザに知らせるために業務会議のロケーションを広告することをマイする。場合によっては、エッジコンピューティングデバイスは、極近傍にいる個人に刺激を与えるように入出力デバイスを制御することによって実際の現実の拡張を容易にすることができる。これらのコンピューティングリソース、ならびに剰余であるかまたはこの目的のために特に与えられ得る追加のコンピューティングリソースはまた、エッジコンピューティングデバイスにおいてサードパーティアプリケーションを含むホストアプリケーションに与えられ、スモールセルユーザのためのサービスを提供することができる。いくつかの例では、スモールセルプラットフォームは、予備の計算および他のリソースを有しないことがある隣接スモールセルのグループのためのホストアプリケーション／サービスに使用される（たとえば、スモールセルは異なる能力を有することができる）。剰余コンピューティングリソースは、最悪のプロセッサ負荷中での使用のための追加のコンピューティングリソースであり得る。総コンピューティングリソースと現在のプロセッサ負荷の下で使用されているコンピューティングリソースとの間の差が剰余コンピューティングリソースである。いくつかの例では、剰余コンピューティングリソースは、コンピューティングのニーズがあまりないときに電源切断され得るマルチコア設計の追加のコアである。別の例では、剰余コンピューティングリソースは、最大周波数のために設計されているが、現在低い周波数で動作しているコアであり得る。
【００２１】
[0034]説明するエッジコンピューティングデバイスは、ノードから離れて位置するが、代わりに、ワイヤレスに接続されたワイヤレスデバイス、すなわち、エンドユーザに極めて近接している。開示するエッジコンピューティングデバイスは、エンドユーザの近くのデータのソースにおいてローカル分析および知識生成を行うことを可能にし、ラップトップ、スマートフォン、タブレットおよびセンサーなど、ネットワークに連続的に接続されないことがあるリソースを活用する。本明細書で説明するエッジコンピューティングデバイスは、ＷＷＡＮまたはＷＬＡＮに接続されたワイヤレスデバイスからの要求のための応答時間を改善し、ならびに、データ接続が限定された環境において使用され得るデータの量を増加させることができる。スモールセル基地局とコロケートされたエッジコンピューティングデバイスにおいてデータをプリフェッチすること、キャッシュすること、処理すること、および／またはサービスすることはまた、バックホールネットワークまたはインターネットに対する全体的な需要を低減し、コアネットワークとの間のシグナリングおよびユーザトラフィックを制限するのに役立つことができる。
【００２２】
[0035]以下の説明は、例を与えるものであり、特許請求の範囲に記載された範囲、適用可能性、または例を限定するものではない。本開示の範囲から逸脱することなく、説明する要素の機能および構成において変更が行われることができる。様々な例は、適宜に様々なプロシージャまたは構成要素を省略、置換、または追加することができる。たとえば、説明する方法は、説明する順序とは異なる順序で実行され得、様々なステップが追加、省略、または組み合わされることができる。また、いくつかの例に関して説明する特徴は、他の例では組み合わされることができる。
【００２３】
[0036]図１Ａに、本開示の様々な態様による、ワイヤレス通信システム１００Ａの一例を示す。ワイヤレス通信システム１００Ａは、基地局１０５と、ワイヤレスデバイス１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与えることができる。基地局１０５は、バックホールリンク１３２（たとえば、Ｓ１など）を通してコアネットワーク１３０とインターフェースし、ワイヤレスデバイス１１５との通信のための無線構成およびスケジューリングを実行し得るか、または基地局コントローラ（図示せず）の制御下で動作することができる。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通して）通信することができる。
【００２４】
[0037]基地局１０５は、１つまたは複数の基地局アンテナを介してワイヤレスデバイス１１５とワイヤレス通信し得る。基地局１０５の各々は、それぞれの地理的カバレージエリア１１０に通信カバレージを与えることができる。いくつかの例では、基地局１０５は、トランシーバ基地局、無線基地局、アクセスポイント、無線トランシーバ、ノードＢ、ｅノードＢ（ｅＮＢ）、ホームノードＢ（ＨＮＢ）、ホームｅノードＢ（ＨｅＮＢ）、アクセスポイント、または他の何らかの適切な用語で呼ばれることがある。基地局１０５のための地理的カバレージエリア１１０は、カバレージエリアの一部分のみを構成するセクタに分割されることができる（図示せず）。ワイヤレス通信システム１００Ａは、異なるタイプの基地局１０５（たとえば、マクロ基地局および／またはスモールセル基地局）を含むことができる。異なる技術のための重複する地理的カバレージエリア１１０があり得る。
【００２５】
[0038]いくつかの例では、ワイヤレス通信システム１００Ａはロングタームエボリューション（ＬＴＥ(登録商標)）またはＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ユーザ機器（ＵＥ）という用語は、概して、ワイヤレスデバイス１１５を表すために使用されることができる。ワイヤレス通信システム１００Ａは、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与えることができる。「セル」という用語は、コンテキストに応じて、基地局、基地局に関連付けられたキャリアまたはコンポーネントキャリア、あるいはキャリアまたは基地局のカバレージエリア（たとえば、セクタなど）を表すために、「第３世代パートナーシッププロジェクト」（３ＧＰＰ(登録商標)：3rd Generation Partnership Project）と称する団体によって使用される用語である。
【００２６】
[0039]マクロセルは、概して、比較的大きい地理的エリア（たとえば、半径数キロメートル）をカバーし、ネットワークプロバイダのサービスに加入しているＵＥによる無制限アクセスを可能にし得る。マクロセルのための基地局はマクロｅＮＢまたは基地局と呼ばれることがある。スモールセルは、マクロセルと比較して、マクロセル基地局と同じかまたは異なる（たとえば、認可、無認可などの）周波数帯域で動作し得る低電力基地局に関連付けられ得る。スモールセルのための基地局は、スモールセル、スモールセルｅＮＢ、スモールセル基地局、ピコｅＮＢまたはピコ基地局、フェムトｅＮＢまたはフェムト基地局、あるいはホームｅＮＢまたはホーム基地局と呼ばれることがある。スモールセルは、スモールセル基地局に関連する通信およびデバイスを指すことがある。たとえば、スモールセル基地局１５０−ａ−１は、地理的カバレージエリア１１０−ａ−１、ワイヤレスデバイス１１５−ａ−１、通信リンク１２５−ａ−１、ワイヤレスデバイス１１５−ａ−２、および通信リンク１３５−ａ−１に関連付けられることができる。同様に、スモールセル基地局１５０−ａ−２は、地理的カバレージエリア１１０−ａ−２、ワイヤレスデバイス１１５−ａ−３、通信リンク１２５−ａ−２、ワイヤレスデバイス１１５−ａ−４、および通信リンク１２５−ａ−３に関連付けられることができる。スモールセルは、様々な例によれば、ピコセルと、フェムトセルと、マイクロセルとを含むことができる。ピコセルは、比較的小さい地理的カバレージエリア１１０をカバーし得、ネットワークプロバイダのサービスに加入しているＵＥによる無制限アクセスを可能にすることができる。フェムトセルは、比較的小さい地理的エリア（たとえば、自宅）をもカバーすることができ、フェムトセルとの関連を有するＵＥ（たとえば、限定加入者グループ（ＣＳＧ：closed subscriber group）中のＵＥ、自宅、オープン、マルチオペレータの中のユーザのためのＵＥなど）による制限付きアクセスを与えることができる。フェムトセルは比較的小さい地理的フットプリントをカバーするので、フェムトセルのコンピューティングのニーズは、フェムトセルごとに著しく変動する可能性がある。たとえば、食品雑貨品店中の通路をカバーするフェムトセルは、図書館通路中のフェムトセルとは異なる責任負担を有する可能性がある。したがって、フェムトセルは、マクロセルとはコンピューティングのニーズの点で大きい相違を受ける可能性がある。
【００２７】
[0040]スモールセル基地局１５０は、ＷＬＡＮ無線機を含み得、さらに、ワイヤレスデバイス１１５のためのＷｉ−Ｆｉアクセスポイント（ＡＰ）として機能することができる。ワイヤレスデバイス１１５は、通信リンク１３５を使用したＷｉ−Ｆｉ機能を有するスモールセル基地局１５０と通信することができる。スモールセル基地局１５０はまた、ワイヤードまたはワイヤレスであり得る通信リンク１３６を使用して互いに直接通信することができ、同じく、バックホールリンク１３４を使用して互いに通信することができる。ワイヤレスデバイス１１５は、Ｗｉ−Ｆｉ専用デバイスであるか、またはＷｉ−Ｆｉ専用モードで動作することができる。
【００２８】
[0041]ワイヤレス通信システム１００Ａは同期動作または非同期動作をサポートすることができる。同期動作の場合、基地局１０５およびスモールセル基地局１５０は同様のフレームタイミングを有することができ、異なる基地局１０５またはスモールセル基地局１５０からの送信は近似的に時間的に整合されることができる。非同期動作の場合、基地局１０５およびスモールセル基地局１５０は異なるフレームタイミングを有することができ、異なる基地局１０５またはスモールセル基地局１５０からの送信は時間的に整合されないことがある。本明細書で説明する技法は同期動作または非同期動作のいずれにも使用され得る。
【００２９】
[0042]ワイヤレスデバイス１１５はワイヤレス通信システム１００Ａ全体にわたって分散され、各ワイヤレスデバイス１１５は固定またはモバイルであり得る。ワイヤレスデバイス１１５は、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、ＵＥ、モバイルクライアント、クライアント、または何らかの他の好適な用語を含むか、またはそのように当業者によって呼ばれることもある。ワイヤレスデバイス１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ワイヤレスデバイス１１５は、マクロｅＮＢ、スモールセルｅＮＢ、リレー基地局などを含む、様々なタイプの基地局１０５、スモールセル基地局１５０、およびネットワーク機器と通信することが可能であり得る。
【００３０】
[0043]ワイヤレス通信システム１００Ａ中に示される通信リンク１２５は、ワイヤレスデバイス１１５から基地局１０５へのアップリンク（ＵＬ）送信、および／または基地局１０５からワイヤレスデバイス１１５へのダウンリンク（ＤＬ）送信を含むことができる。ダウンリンク送信は順方向リンク送信と呼ばれることもあり、アップリンク送信は逆方向リンク送信と呼ばれることもある。通信リンク１２５の各々は、異なる周波数の１つまたは複数の波形信号を搬送することが可能であり得る１つまたは複数のキャリアを含むことができる。波形信号は、上記で説明した様々な無線技術に従って変調されることができる。各被変調信号は、制御情報（たとえば、基準信号、制御チャネルなど）、オーバーヘッド情報、ユーザデータなどを搬送することができる。通信リンク１２５は、（たとえば、対スペクトルリソースを使用する）ＦＤＤ動作または（たとえば、不対スペクトルリソースを使用する）ＴＤＤ動作を使用して、双方向通信を送信することができる。ＦＤＤ用のフレーム構造（たとえば、フレーム構造タイプ１）およびＴＤＤ用のフレーム構造（たとえば、フレーム構造タイプ２）が定義されることができる。
【００３１】
[0044]ワイヤレス通信システム１００Ａのいくつかの実施形態では、基地局１０５、スモールセル基地局１５０、および／またはワイヤレスデバイス１１５は、基地局１０５とワイヤレスデバイス１１５との間の通信品質と信頼性とを改善するために、アンテナダイバーシティ方式を採用するために複数のアンテナを含むことができる。追加または代替として、基地局１０５、スモールセル基地局１５０、および／またはワイヤレスデバイス１１５は、同じまたは異なるコード化データを搬送する複数の空間レイヤを送信するために、マルチパス環境を利用することができる多入力多出力（ＭＩＭＯ）技法を採用することができる。
【００３２】
[0045]ワイヤレス通信システム１００Ａは、複数のセルまたはキャリア上での動作、すなわち、キャリアアグリゲーション（ＣＡ：carrier aggregation）またはマルチキャリア動作と呼ばれることがある特徴をサポートすることができる。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることができる。ワイヤレスデバイス１１５は、キャリアアグリゲーションのために、複数のダウンリンクＣＣと１つまたは複数のアップリンクＣＣとで構成されることができる。キャリアアグリゲーションは、ＦＤＤコンポーネントキャリアとＴＤＤコンポーネントキャリアの両方とともに使用されることができる。
【００３３】
[0046]いくつかの実施形態では、ワイヤレス通信システム１００ＡはＡＰ１５５を含むことができる。ワイヤレスデバイス１１５は、通信リンク１３５を使用してＡＰ１５５と通信し得、各ワイヤレスデバイス１１５はまた、直接ワイヤレスリンクを介して１つまたは複数の他のワイヤレスデバイス１１５と直接通信することができる。２つ以上のワイヤレスデバイス１１５は、両方のワイヤレスデバイス１１５がＡＰ地理的カバレージエリア１１２にあるとき、または１つのワイヤレスデバイス１１５がＡＰ地理的カバレージエリア内にある、もしくは１つもない（図示せず）とき、直接ワイヤレスリンクを介して通信することができる。直接ワイヤレスリンクの例としては、Ｗｉ−Ｆｉ  Ｄｉｒｅｃｔ（登録商標）接続、Ｗｉ−Ｆｉトンネルドダイレクトリンクセットアップ（ＴＤＬＳ：Tunneled Direct Link Setup）リンクを使用することによって確立される接続、および他のピアツーピア（Ｐ２Ｐ）グループ接続があり得る。これらの例におけるワイヤレスデバイス１１５は、ＩＥＥＥ８０２．１１、および限定はしないが、８０２．１１ｂ、８０２．１１ｇ、８０２．１１ａ、８０２．１１ｎ、８０２．１１ａｃ、８０２．１１ａｄ、８０２．１１ａｈなどを含むそれの様々なバージョンからの物理レイヤおよびＭＡＣレイヤを含むＷＬＡＮ無線およびベースバンドプロトコルに従って通信することができる。他の実施形態では、他のピアツーピア接続および／またはアドホックネットワークがワイヤレス通信システム１００Ａ内にインプリメントされることができる。
【００３４】
[0047]スモールセル基地局としてワイヤレス通信システム１００Ａにおいて通信するためのリソースに加えて、スモールセル基地局１５０−ａ−１とスモールセル基地局１５０−ａ−２とのうちの１つまたは複数は、スモールセルにワイヤレスに接続されたワイヤレスデバイス１１５のためのいくつかの動作をサポートするためにいくつかのエッジコンピューティングリソースを有するエッジコンピューティングデバイスを含むか、またはそれに関連付けられることができる。したがって、スモールセル基地局１５０−ａ−１とスモールセル基地局１５０−ａ−２とのうちの１つまたは複数のエッジコンピューティングリソースは、スモールセル基地局１５０と、スモールセル基地局１５０にワイヤレスに接続されたワイヤレスデバイス１１５との間のデータおよび／またはコンテンツの処理の動的分散をサポートすることができる。エッジコンピューティングデバイスはまた、ワイヤレスデバイス１１５の特定のコンテキストに基づいてコンテンツをプリフェッチし、エッジコンピューティングデバイスにそれをキャッシュすることができる。エッジコンピューティングデバイスはまた、充実したローカル広告および広告の物理的拡張を与える広告サーバまたはエンジンをホストすることができる。エッジコンピューティングデバイスはまた、充実したローカル広告サーバとして動作することができる。エッジコンピューティングデバイスのコンピューティングリソースはまた、エッジコンピューティングデバイス、スモールセル基地局１５０−ａ−１とスモールセル基地局１５０−ａ−２とのうちの１つまたは複数上でサードパーティアプリケーションを含むホストアプリケーションに与えられることができる。
【００３５】
[0048]場合によっては、エッジコンピューティングデバイスは、実際の現実を拡張するために使用されることができる。すなわち、エッジコンピューティングデバイスは、現実の実際の態様（たとえば、個人の自力の感覚によって知覚できる態様）を高めるか、それに影響を及ぼすか、または、それを改変することができる。たとえば、図示されていないが、他のワイヤレスデバイスは、スモールセル基地局１５０またはエッジコンピューティングデバイスと通信することができる。たとえば、センサー、温度センサー（たとえば、サーモメータ）、マイクロフォン、スピーカー、ライト（たとえば、発光ダイオード（ＬＥＤ））、ディスプレイ、芳香ディスペンサーなどの入力または出力デバイスは、エッジコンピューティングデバイスまたはスモールセル基地局１５０と直接または間接的に通信していることがある。入力デバイスは、環境（たとえば、ライトの状態、口にした言葉、温度など）の態様を感知または検出し、情報をエッジコンピューティングデバイスに報告することができる。出力デバイスは、エッジコンピューティングデバイスから命令またはコマンドを受信し、スモールセル基地局１５０−ｂの超近傍にいる個人に刺激を与えることができる（たとえば、ライトディスプレイをアクティブにすることができるかまたは音波を送信することができる）。エッジコンピューティングデバイスは、スモールセル内の個別の局所的な地理的エリアをサービスすることができる。たとえば、エッジコンピューティングデバイスは、図書館の単一の通路に沿ってまたは博物館の単一の展示内に分散された入出力（Ｉ／Ｏ）デバイスを監視し、指示することができる。場合によっては、エッジコンピューティングデバイスは、ワイヤレスデバイス１１５のユーザの近くの出力デバイスをアクティブにするために（たとえば、スモールセル基地局１５０において、またはエッジコンピューティングデバイスにおいて受信される）センサーまたはワイヤレスデバイス１１５からの情報を活用することができる。たとえば、ワイヤレスデバイス１１５からのメッセージは、ワイヤレスデバイス１１５のユーザがあるタイプのシリアル（たとえば、特定の成分を含んでいないシリアル）を探していることを食品雑貨品店のシリアル通路(cereal aisle)中のエッジコンピューティングデバイスに示すことができる。エッジコンピューティングデバイスは、受信情報を分析し、特定の成分がないシリアルを示すために利用可能なシリアルタイプの間に分散されたスマートタグ（たとえば、ＬＥＤ）をアクティブにすることができる。場合によっては、同じロケーション（たとえば、シリアル通路）中にワイヤレスデバイス１１５をもつ複数の個人がいる場合、エッジコンピューティングデバイスは、個人の間でスマートタグを識別する識別子（たとえば、ＬＥＤの色）を各個人に割当てることができる。
【００３６】
[0049]図１Ｂを参照すると、ブロック図に、ワイヤレス通信ネットワーク１００Ｂの一例を示す。ワイヤレス通信ネットワーク１００Ｂは、ワイヤレス通信システム１００Ａの部分を含み得る（たとえば、ワイヤレス通信ネットワーク１００Ｂはスモールセルの一部分であり得る）。ワイヤレス通信ネットワーク１００Ｂは、スモールセル基地局１５０−ｂと、移動局、携帯情報端末（ＰＤＡ）、他のハンドヘルドデバイス、ネットブック、ノート型コンピュータ、タブレットコンピュータ、ラップトップ、ディスプレイデバイス（たとえばテレビ、コンピュータモニタなど）、プリンタなどの１つまたは複数のワイヤレスデバイス１１５−ａとを含むことができる。ワイヤレスデバイス１１５−ａの各々は、通信リンク１２５と通信リンク１３５とのうちの１つまたは複数を介してスモールセル基地局１５０−ｂに関連し、それと通信することができる。各スモールセル基地局１５０−ｂは、そのエリア内のワイヤレスデバイス１１５−ａがスモールセル基地局１５０−ｂと一般に通信することができるような地理的カバレージエリア１１０を有する。ワイヤレスデバイス１１５−ａは、地理的カバレージエリア１１０全体にわたって分散されることができる。各ワイヤレス局１１５−ａは固定またはモバイルであり得る。図１Ｂには示されていないが、ワイヤレスデバイス１１５−ａは、２つ以上のスモールセル基地局１５０および／またはマクロセル（図示せず）によってカバーされることができる。
【００３７】
[0050]スモールセル基地局１５０−ｂは、スモールセルプラットフォーム１４０とエッジコンピューティングデバイス１４５とを含む。エッジコンピューティングデバイス１４５は、スモールセル基地局１５０−ｂ内に（たとえば、スモールセルプラットフォーム１４０と）統合されるか、またはスモールセルプラットフォーム１４０に通信可能に結合され、それの極近傍にある物理的に別個のモジュールであり得る。したがって、スモールセル基地局１５０−ｂは、単一の統合構成要素であり得るか、または一緒に通信可能に結合されたより多くの数の別個の構成要素を備えることができる。場合によっては、スモールセルプラットフォーム１４０は、エッジコンピューティングデバイス１４５をカプセル化する。そのような場合、スモールセルプラットフォーム１４０上の追加の処理能力はエッジコンピューティングデバイス１４５になる。スモールセル基地局１５０−ｂ、具体的には、スモールセルプラットフォーム１４０は、コアネットワーク１３０−ａと通信し、ならびにエッジコンピューティングデバイス１４５およびワイヤレスデバイス１１５−ａにコアネットワーク１３０−ａとの接続性を与えることができる。スモールセル基地局１５０−ｂ、具体的には、スモールセルプラットフォーム１４０はまた、ワイヤレスデバイス１１５−ａとの接続性をエッジコンピューティングデバイス１４５に与えることができる。
【００３８】
[0051]エッジコンピューティングデバイス１４５は、さらに本開示全体にわたってより詳細に以下に説明するスモールセル基地局１５０−ｂにおいていくつかのエッジコンピューティングリソースおよび機能を与える。
【００３９】
[0052]エッジコンピューティングデバイス１４５は、１つまたは複数のワイヤレスデバイス１１５−ａをサポートするために処理リソースを与えることができる。データの処理は、ワイヤレスデバイス１１５−ａとスモールセル基地局１５０−ｂとコロケートされたエッジコンピューティングデバイス１４５との間で動的に割当てられることができる。ダウンロードされ、ワイヤレスデバイス１１５−ａに配信されるべきデータのための処理負担は、ワイヤレスデバイス１１５−ａに割当てられるか、エッジコンピューティングデバイス１４５に割当てられるか、またはワイヤレスデバイス１１５−ａとエッジコンピューティングデバイス１４５との間で分割されることができる。処理負担の割当ては、たとえば、ワイヤレスデバイス１１５−ａの状態、スモールセル基地局１５０−ｂとワイヤレスデバイス１１５−ａとの間の無線リンクの品質、および／またはワイヤレスデバイス１１５−ａに配信されるべきデータのタイプに基づいて動的になることができる。エッジコンピューティングデバイス１４５は、（たとえば、特に、特定のタイプの圧縮ビデオ、オーディオ、または画像データのための）圧縮データのタイプに少なくとも部分的に基づいて圧縮された（符号化された）データを解凍する（復号する）ための負担を割当てられることができる。エッジコンピューティングデバイス１４５による圧縮データの処理は、圧縮データを解凍することか、または圧縮データをより低い圧縮状態に処理すること（すなわち、高レベルに圧縮されたデータを非圧縮状態に解凍し、次いで、より低い圧縮レベルを使用する圧縮アルゴリズムまたはエンコーダを使用してデータを圧縮すること）を伴うことができる。エッジコンピューティングデバイス１４５はまた、同じ圧縮データの複数のバージョンをダウンロードすることができ、ここで、バージョンのうちの１つは、無線リンクの状態またはワイヤレスデバイス１１５−ａの状態に少なくとも部分的に基づいてワイヤレスデバイス１１５−ａに送られる。
【００４０】
[0053]処理負担はまた、ワイヤレスデバイス１１５−ａの状態、たとえば、ワイヤレスデバイス１１５−ａにおける電力消費量、または処理能力、処理可用性、またはヘッドルーム、バッテリー状態、異なる無線機の同時利用による共存問題、またはワイヤレスデバイス１１５−ａの熱的状態に従ってエッジコンピューティングデバイス１４５に割当てられることができる。ワイヤレスデバイス１１５−ａの処理可用性がしきい値を下回るとき、バッテリー寿命がしきい値を下回るとき、ワイヤレスデバイス１１５−ａの温度がしきい値を上回る場合、またはワイヤレスデバイス１１５−ａにおける処理の予想電力消費量が所定の電力消費量しきい値を上回る場合、処理がエッジコンピューティングデバイス１４５にさらに割当てられることができる。エッジコンピューティングデバイス１４５はまた、ワイヤレスデバイス１１５−ａから受信された処理能力報告に従って受信データを処理することも処理しないこともある。さらに、エッジコンピューティングデバイス１４５は、たとえば、ワイヤレスデバイス１１５−ａとエッジコンピューティングデバイス１４５／スモールセル基地局との間の無線リンクの観測された品質、無線状態、スループット、測定値、または予想される将来の無線状態（たとえば、ワイヤレスデバイス１１５−ａがどこに移動しているのか、ハンドオフシナリオ、負荷など）に基づいて処理負担を割当てることができる。
【００４１】
[0054]コンテンツはまた、エッジコンピューティングデバイス１４５によってプリフェッチされるかあるいは取り出され、ワイヤレスデバイス１１５−ａからのそのようなコンテンツについての要求を予想してローカルにキャッシュされることができる。コンテンツをプリフェッチすることは、エッジコンピューティングデバイス１４５にローカルである情報に少なくとも部分的に対して決定されることができる。そのようなローカル情報は、エッジコンピューティングデバイス１４５の物理的ロケーション、ワイヤレスデバイス１１５−ａの物理的ロケーション、またはエッジコンピューティングデバイス１４５のセンサーまたは他の入力デバイスから（たとえば、マイクロフォン、温度センサー、光センサー、またはカメラから）収集されたデータに基づく物理的ロケーションに関する入力を含むことができる。ローカル情報はまた、特定のデータについてのユーザの過去の要求を含む、ワイヤレスデバイス１１５−ａのユーザについて以前にアセンブルされたプロファイルを含むことができる。ローカル情報はまた、関係するコンテンツを求めるユーザによって行われた要求に関係することができる。たとえば、ビデオの場合、プリフェッチされるコンテンツは、他のワイヤレスデバイス１１５−ａのユーザによって以前に要求された同じビデオ、エッジコンピューティングデバイス１４５に接続されたワイヤレスデバイス１１５−ａによってセグメントが以前に要求された一連のビデオ中の次のセグメント、またはワイヤレスデバイス１１５−ａからの前の要求に応答して以前にフェッチされたビデオに関係するビデオを含むことができる。
【００４２】
[0055]エッジコンピューティングデバイス１４５においてプリフェッチし、ローカルにキャッシュすることは、エッジコンピューティングデバイス１４５において追加の記憶容量を使用することができるが、バックホールネットワークの使用量が少ない期間中にコンテンツがプリフェッチされ、帯域幅を節約し、レイテンシを減少させることを可能にすることが有益であり得る。プリフェッチすることはまた、コンテンツのソースから要求元ワイヤレスデバイス１１５−ａに同じ人気があるコンテンツを繰り返しトランスポートする必要性を潜在的に除去することができる。上記で説明したようにプリフェッチすることは、特に、コンテンツが時間にわたって実質的に変化しない場合（たとえば、ある音楽ビデオまたはオーディオファイル）、およびワイヤレスデバイス１１５−ａのユーザがコンテンツが古くなる前にエッジコンピューティングデバイス１４５を介してそのようなコンテンツを要求するであろう可能性が高い場合に有益であり得る。特定のワイヤレスデバイス１１５−ａのためのプリフェッチされたコンテンツはまた、ワイヤレスデバイス１１５−ａの予想される物理的ロケーションに基づいて第１のエッジコンピューティングプラットフォームから第２のエッジコンピューティングプラットフォームに転送されることができる。プリフェッチすることはまた、より多くの電力が利用可能である（たとえば、ソーラーパネルによって電力供給されるスモールセルのために太陽が出ている）とき、または電力レベルが高い（たとえば、バッテリーバックアップ容量が上限に達している）ときに実行されることができる。さらに、プリフェッチすることはコンテキストアウェアに実行されることができる。たとえば、拡張コンテンツは、スモールセル上で行われる拡張とは対照的にスモールセル中でプリフェッチされることができる。
【００４３】
[0056]本明細書で説明するエッジコンピューティングデバイス１４５はまた、充実したローカル広告サーバとして動作することができる。エッジコンピューティングデバイス１４５において、またはエッジコンピューティングデバイス１４５の近くの出力において広告することは、エッジコンピューティングデバイス１４５によって物理的に拡張されることができる。エッジコンピューティングデバイス１４５はまた、スモールセルおよび／またはスモールセルの近くの出力への広告データをサービスすることができる。広告サーバは、エッジコンピューティングデバイス１４５上で動作し得、ここで、広告サーバは、スモールセルを介してワイヤレスデバイス１１５−ａによって要求されたコンテンツに広告コンテンツおよびデータを動的に挿入するように構成されることができる。特定の広告データおよびコンテンツはまた、エッジコンピューティングデバイス１４５の物理的ロケーションおよび／またはエッジコンピューティングデバイス１４５に対するワイヤレスデバイス１１５−ａのロケーションに基づいてエッジコンピューティングデバイス１４５においてプリフェッチされ、キャッシュされることができる。たとえば、エッジコンピューティングデバイス１４５上で動作する広告サーバは、スポーツスタジアムまたは食品雑貨品店の通路で動作するワイヤレスデバイス１１５−ａのユーザを特にターゲットにしたアップコンテンツをサービスすることができる。
【００４４】
[0057]いくつかの例では、プリフェッチすることとキャッシュすることとは反応性のものであり得る。すなわち、プリフェッチすることとキャッシュすることとは、同じまたは同様のコンテンツが少なくとも一人のユーザによって要求されたときに実行されることができる。コンテンツが近接している他のユーザによって閲覧される可能性があるとスモールセルが決定すると、コンテンツはプリフェッチされ、キャッシュされることができる。この決定は、たとえば、ユーザのためのユーザプロファイルに部分的に基づくことができる。コンテンツはまた、必ずしも同じコンテンツを消費するとは限らないことがある他の近くのユーザの行為によりプリフェッチまたは消費される可能性があり得る。コンテンツは、近くのまたは同様のセル上の要求されたコンテンツに基づいてプリフェッチされ、キャッシュされ得、これは、さらに、ユーザの人口統計に基くことができる。
【００４５】
[0058]異なるエッジノードが、同じまたは異なる記憶および処理能力を有することができる。いくつかの例では、いくつかのスモールセルは、スモールセルがクラスタヘッドとして働くスモールセルのクラスタを形成することができる。クラスタヘッドスモールセルは、ローカルストレージ、ローカルサービスホスティング、処理などのために使用されることができる。いくつかの例では、エッジノードは、分散処理および記憶能力を有する。分散キャッシングは、エッジノード（たとえば、スモールセル）の間で実行されることができる。たとえば、いくつかのノードは、いくつかのコンテンツをキャッシュし、他のノードは、他のコンテンツをキャッシュし得る（サイトにわたってキャッシュすることは、記憶、バックホール、用途などの機能であり得る）。キャッシュすることはまた、複数のデバイスにわたってデータがハッシュされるように複数のワイヤレスデバイスにわたって実行されることができる。
【００４６】
[0059]特定の広告データおよびコンテンツはまた、ワイヤレスデバイス１１５−ａが以前にスモールセル基地局１５０−ｂに接続されたこと、または他のスモールセル基地局に接続されたことを含む、ワイヤレスデバイス１１５−ａによって実行された活動、またはワイヤレスデバイス１１５−ａに関するスモールセル基地局１５０−ｂによって収集された他の情報に少なくとも部分的に基づいてプリフェッチされ、キャッシュされることができる。ワイヤレスデバイス１１５−ａに関するこの活動または情報は、過去の検索要求のコンテンツ、ワイヤレスデバイス１１５−ａに関するメタデータ、ウェブサイト訪問またはアプリケーション使用履歴、あるいはワイヤレスデバイス１１５−ａの１つまたは複数のセンサーからの情報、たとえば、ジャイロスコープセンサー、加速度計センサー、温度センサー、またはＧＰＳセンサー情報を含むことができる。広告データおよびコンテンツはまた、スモールセル基地局１５０−ｂに以前に接続されたワイヤレスデバイスまたは隣接基地局などの他のスモールセル基地局を含む他のワイヤレスデバイスによって実行された活動についての分析に少なくとも部分的に基づいてプリフェッチされ、キャッシュされることができる。そのような活動および情報は、ワイヤレスデバイス１１５−ａについてと同じであるが、他のワイヤレスデバイスについて収集され、分析されることができる。
【００４７】
[0060]さらに、広告サーバは、ワイヤレスデバイス１１５−ａ自体に加えてワイヤレスデバイス１１５−ａのユーザに物理的刺激を与えるために他のローカル入出力デバイスと通信することができる。たとえば、広告サーバは、ワイヤレスデバイス１１５−ａからのコンテンツについての要求に関連して、ライト、ディスプレイ、スピーカー、においを散布するデバイス、あるいはエッジデバイスおよび／またはワイヤレスデバイス１１５−ａの近くに物理的に位置する他の出力デバイスをアクティブにするようにエッジコンピューティングデバイス１４５に指示することができる。
【００４８】
[0061]エッジコンピューティングデバイス１４５はまた、ワイヤレスデバイス１１５−ａのためのコンテキストデータ、たとえば、ワイヤレスデバイス１１５−ａの物理的ロケーションまたは軌跡、あるいはエッジコンピューティングデバイス１４５が位置するスモールセル基地局に接続された他のワイヤレスデバイス１１５−ａのロケーション、環境などに基づいて、ワイヤレスデバイス１１５−ａについてのローカル分析を実行することができる。エッジコンピューティングデバイス１４５によるローカル分析のそのような実行は、（たとえば、ユーザが高密度展開のスモールセルエリア中にあるときの）ユーザエクスペリエンスを高めることができる。たとえば、輻輳したネットワーク中のユーザは、ワイヤレストラフィックの過剰により遅延を受けることができる。さらに、分析を実行することを担当する中央エンティティは、ロケーション固有サービスを供給するために必要とされるローカルコンテキスト情報を有しないことがある。したがって、エッジコンピューティングデバイス１４５（またはスモールセル基地局１５０）にある分析をオフロードすることは、サービス遅延を減少させ、ユーザの特定のロケーションに関係するサービスを使用可能にすることができる。たとえば、スモールセル基地局１５０またはエッジコンピューティングデバイス１４５上で広告サーバを動作することは、レイテンシを低減し、より充実したコンテンツ（たとえば、コンテキストまたは状況に関連するコンテンツ）を与えることができる。場合によっては、処理は、処理能力およびニーズの可用性に基づいてエッジコンピューティングデバイス１４５とワイヤレスデバイス１１５−ａとの間で移動されることができる。ロケーション、ユーザ探索に関する処理された分析データは、広告に入札するなどのＧｏｏｇｌｅ（登録商標）  ＡｄＷｏｒｄｓ（登録商標）に通知することができる。
【００４９】
[0062]エッジコンピューティングデバイス１４５上で広告サーバを動作することにより、広告主は、広告をサービスするために、およびワイヤレスデバイス１１５−ａのユーザに広告を配信するレイテンシを低減するために必要なバックホール帯域幅を低減することによってより充実した広告コンテンツをサービスすることが可能になり得る。したがって、ネットワーク帯域幅の低減された使用たとえば、ＷＷＡＮのバックホールネットワークまたはＷＬＡＮに接続されたインターネットサービスプロバイダ（ＩＳＰ）のために、ネットワーク事業者が広告を与えるのがより安価になることができる。そのような場合、ＷＷＡＮネットワーク事業者またはＩＳＰは、ネットワークコンピューティングデバイスからワイヤレスデバイス１１５−ａにサービスされるデータを広告するためにワイヤレスデバイス１１５−ａのユーザにディスカウントされたデータレートを与えることができる。
【００５０】
[0063]ＷＷＡＮスモールセルまたはＷＬＡＮアクセスポイントへのエッジコンピューティングデバイス１４５の近接度の結果として、エッジコンピューティングデバイス１４５はまた、ワイヤレスデバイス１１５−ａのユーザのロケーション、ワイヤレスデバイス１１５−ａまたはエッジコンピューティングデバイス１４５からのセンサー入力、および／またはエッジコンピューティングデバイス１４５を介してワイヤレスデバイス１１５−ａのユーザによって行われた要求のコンテンツに従ってワイヤレスデバイス１１５−ａのユーザと相互作用し、それに刺激を与えるように、同じくエッジコンピューティングデバイス１４５に接続された近接したＩ／Ｏデバイスを制御することができる。
【００５１】
[0064]エッジコンピューティングデバイス１４５はまた、ワイヤレスデバイス１１５−ａのユーザを刺激するように入出力デバイスを制御するためにワイヤレスデバイス１１５−ａ、拡大すると、ワイヤレスデバイス１１５−ａのユーザのロケーションおよび環境に関するデータを取り入れることができる。ワイヤレスデバイス１１５−ａおよび／またはエッジコンピューティングデバイス１４５についてのセンサーデータは、（たとえば、マイクロフォンなどの入力デバイス、温度センサーまたは光センサー、あるいはカメラなど）から収集されることができる。ワイヤレスデバイス１１５−ａとワイヤレスデバイス１１５−ａが接続されるエッジネットワークデバイスとの極近傍ならびにエッジコンピューティングデバイス１４５の知られているロケーションのために、エッジコンピューティングデバイス１４５は、エッジコンピューティングデバイス１４５におけるデータに従って、ワイヤレスデバイス１１５−ａのユーザの知られている近傍内にあるワイヤレスデバイス１１５−ａ自体の外部のデバイス（たとえば、出力デバイス）を制御するためにこの情報を使用することができる。外部デバイスは、広告コンテンツまたはデータを配信またはサービスすることができる。たとえば、外部デバイスは、エッジコンピューティングデバイス１４５の物理的環境に固有の情報に従ってワイヤレスデバイス１１５−ａによってエッジコンピューティングデバイス１４５に与えられたデータコンテンツにアノテーションを付けるためにエッジコンピューティングデバイス１４５によって制御されることができる。アノテーションを付けることは、画像またはテキストでデータコンテンツにアノテーションを付けることを含むことができる。別の例として、エッジコンピューティングデバイス１４５は、エッジコンピューティングデバイス１４５から決定されたワイヤレスデバイス１１５−ａのユーザの少なくとも１つの特性（たとえば、ワイヤレスデバイス１１５−ａが接続されたスモールセル基地局への近接度によるワイヤレスデバイス１１５−ａの物理的ロケーションまたはワイヤレスデバイス１１５−ａのユーザによって行われた要求のコンテンツ）に基づいてワイヤレスデバイス１１５−ａのユーザに刺激を与えるために（エッジコンピューティングデバイス１４５の外部の）Ｉ／Ｏデバイスを制御することができる。
【００５２】
[0065]エッジコンピューティングデバイス１４５はまた、サードパーティアプリケーションをホストし得る剰余コンピューティングリソースを有し得る。これらのコンピューティングリソースはまた、そのような目的のために与えられ得る。バイルアプリケーションは、一般に、ワイヤレスデバイス１１５−ａ上で、またはコンテンツ配信ネットワークまたは他のサーバなどのネットワーク構成要素上で動作する。同時に、ワイヤレスデバイス１１５−ａは、概して、限定された計算能力およびバッテリー寿命を有するが、エッジコンピューティングデバイス１４５は、おそらく専用電力接続を有するであろう。したがって、エッジコンピューティングデバイス１４５は、ワイヤレスデバイス１１５−ａよりも少ない電力および処理制約で、エンドユーザ（すなわち、ワイヤレスデバイス１１５−ａ）の極近傍にあるサードパーティアプリケーションによる使用を可能にするように構成されることができる。
【００５３】
[0066]一例では、ユーザのモバイルデバイス上で動作するアプリケーションは、エッジコンピューティングデバイス１４５上で動作する相補型アプリケーションによって拡張されることができる。相補型アプリケーションは、たとえば、ワイヤレスデバイス１１５−ａへの着信メッセージを監視すること、およびあらかじめ定義されたパラメータに従って警告を送ることによってユーザエクスペリエンスを拡張する処理を提供することができる。エッジコンピューティングデバイス１４５のリソースはまた、たとえば、サードパーティアプリケーションを実行するためにエッジコンピューティングデバイス１４５上で動作する仮想マシンを与えることによってサードパーティへのサービスとして与えられることができる。このようにして、サードパーティは、ワイヤレスデバイス１１５−ａの極近傍だが、アプリケーションがサードパーティの指示および制御の下にある場所においてサードパーティの自身のアプリケーションを実行することによってワイヤレスデバイス１１５−ａのユーザに拡張エクスペリエンスを与えることができる。サードパーティは、エッジコンピューティングデバイス１４５に選択されたデータまたはコンテンツをキャッシュし、キャッシュされたデータまたはコンテンツと相互作用するワイヤレスデバイス１１５−ａにアプリケーションを与えることができる。ワイヤレスデバイス１１５−ａのアプリケーションはまた、エッジコンピューティングデバイス１４５またはサーバ上で動作するアプリケーションと相互作用するために与えられることができる。したがって、ワイヤレスデバイス１１５−ａのアプリケーションは、ＷＷＡＮおよび／またはインターネットを通して遠くのサーバとより低い頻度で相互作用し、ワイヤレスデバイス１１５−ａのユーザのエクスペリエンスを拡張することができる。さらに、ワイヤレスデバイス１１５−ａのためのサードパーティアプリケーションによって実行される計算は、エッジコンピューティングデバイス１４５から第２のエッジコンピューティングデバイスへのユーザのワイヤレスデバイス１１５−ａに追従するめに、エッジコンピューティングデバイス１４５から第２のエッジコンピューティングデバイスに移動または転送されることができる。
【００５４】
[0067]図２に、本開示の様々な態様による、スモールセルのためのエッジコンピューティングデバイスをサポートするワイヤレス通信システムにおいて使用するために構成されたエッジコンピューティングデバイス１４５−ａのブロック図２００を示す。エッジコンピューティングデバイス１４５−ａは、図１Ｂを参照しながら説明したエッジコンピューティングデバイス１４５の１つまたは複数の態様の一例であり得る。エッジコンピューティングデバイス１４５−ａは、受信機２１０、エッジコンピューティングプラットフォーム２１５、および／または送信機２２０を含むことができる。エッジコンピューティングデバイス１４５−ａはまた、プロセッサ（図示せず）であるか、またはそれを含むことができる。これらのモジュールの各々は互いに通信していることがある。場合によっては、エッジコンピューティングデバイス１４５−ａは、スモールセル基地局１５０に統合されることができる。そのような場合、エッジコンピューティングデバイス１４５−ａは、スモールセル基地局１５０に追加の計算能力を与えることができ、したがって、受信機２１０または送信機２２０を含まないことがある。たとえば、エッジコンピューティングプラットフォーム２４５をカプセル化するエッジコンピューティングデバイス１４５−ａが示されているが、場合によっては、エッジコンピューティングプラットフォーム２４５が、エッジコンピューティングデバイス１４５−ａをカプセル化する。すなわち、エッジコンピューティングデバイス２４５は、エッジコンピューティングデバイス１４５−ａ、レシーブド２１０、および／または送信機２２０を囲むことができるか、またはそれを含むことができる。このようにして、エッジコンピューティングプラットフォーム２４５は、処理能力をブーストするためにエッジコンピューティングデバイス１４５−ａの機能を活用することができる。
【００５５】
[0068]エッジコンピューティングデバイス１４５−ａは、受信機２１０、エッジコンピューティングプラットフォーム２１５、および／または送信機２２０を通して、本明細書で説明する機能を実行するように構成されることができる。たとえば、エッジコンピューティングデバイス１４５−ａは、スモールセルと通信しているワイヤレスデバイスにエッジコンピューティングリソースを与えるように構成されることができる。たとえば、エッジコンピューティングプラットフォーム２１５は、外部デバイス（たとえば、Ｉ／Ｏデバイスまたはワイヤレスデバイス１１５）からロケーションおよび使用依存情報（たとえば、物理的動作コンテキスト情報）を受信し、エッジコンピューティングデバイス１４５−ａの超近傍にいる個人に刺激を与えるように異なる（または同じ）外部デバイスの挙動を制御することができる。エッジコンピューティングプラットフォーム２１５の処理負担は、場合によっては、同じまたは異なるスモールセルに関連する他のデバイス（たとえば、エッジコンピューティングデバイス１４５、スモールセル基地局１５０、またはワイヤレスデバイス１１５）に動的にオフロードされるか、またはそれらの間で分散されることができる。他の場合には、いくつかの処理機能は、コアネットワークにアウトソーシングされることができる。いくつかの例では（たとえば、バックホールがある種のコストまたは制限を有するとき）、エッジコンピューティングデバイス１４５−ａは、情報を圧縮することができる。
【００５６】
[0069]エッジコンピューティングデバイス１４５−ａの構成要素は、適用可能な機能の一部または全部をハードウェアで実行するように適応された１つまたは複数の特定用途向け集積回路（ＡＳＩＣ）を使用して、個々にまたはまとめてインプリメントされることができる。代替的に、それらの機能は、１つまたは複数の他の処理ユニット（またはコア）によって、１つまたは複数の集積回路上で実行されることができる。他の例では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用されることができる。各構成要素の機能はまた、全体的にまたは部分的に、１つまたは複数の汎用または特定用途向けプロセッサによって実行されるようにフォーマットされた、メモリ中に組み込まれた命令を用いてインプリメントされることができる。
【００５７】
[0070]受信機２１０は、パケット、ユーザデータ、および／または様々な情報チャネル（たとえば、制御チャネル、データチャネルなど）に関連付けられた制御情報などの情報を受信することができる。受信機２１０は、ワイヤレスデバイスによってネットワークに要求されたコンテンツ、データ、および他の情報を受信するように構成されることができ、これは、エッジコンピューティングデバイス１４５−ａなどのスモールセルと通信しているワイヤレスデバイスの要求時、ワイヤレスデバイスから送られたそのようなコンテンツまたはデータについての要求時、ならびにワイヤレスデバイスによってエッジコンピューティングリソースを使用したいという要求時、および様々なセンサーまたは入出力デバイスからの入力時におけるネットワークからのオーディオ、ビデオ、広告、ウェブページ、または他のデータを含むことができる。情報は、エッジコンピューティングプラットフォーム２１５に、およびエッジコンピューティングデバイス１４５−ａの他の構成要素に受け渡されることができる。
【００５８】
[0071]送信機２２０は、エッジコンピューティングデバイス１４５−ａの他の構成要素から受信された１つまたは複数の信号を送信することができる。送信機２２０は、エッジコンピューティングデバイス１４５−ａなどのスモールセルと通信しているワイヤレスデバイスにオーディオ、ビデオ、広告、ウェブページ、または他のデータを送信し得、ワイヤレスデバイスによるエッジコンピューティングリソースを使用したいという要求に応答し、ディスプレイ、ライト、または他の入出力デバイスに出力する。いくつかの例では、送信機２２０は、トランシーバモジュール中で受信機２１０とコロケートまたは統合されることができる。
【００５９】
[0072]図３に、本開示の様々な態様による、エッジコンピューティングデバイス１４５−ｂにおいてまたはその近くで現実を物理的に拡張するためのワイヤレス通信システムにおいて使用するために構成された別のエッジコンピューティングデバイス１４５−ｂのブロック図３００を示す。エッジコンピューティングデバイス１４５−ｂは、図１〜図２を参照しながら説明したエッジコンピューティングデバイス１４５またはデバイス１４５−ａの態様の一例であり得る。エッジコンピューティングデバイス１４５−ｂは、（たとえば、スピーカーなどのＩ／Ｏデバイス３２０の行為をトリガすることによって）個人の環境または周囲の態様を著しく変更することによって現実を拡張するように構成され得る。Ｉ／Ｏデバイス３２０は、スモールセル基地局１５０またはエッジコンピューティングデバイス１４５−ｂからセパレートであり得る（またはそれとコロケートされることができる）。たとえば、場合によっては、Ｉ／Ｏデバイス３２０は、スモールセル基地局１５０の一部であり得る（たとえば、スモールセル基地局１５０は、スピーカーまたはマイクロフォンを装備することができる）。場合によっては、Ｉ／Ｏデバイス３２０は、ＵＥ１１５などのワイヤレス通信デバイスであり得る。場合によっては、Ｉ／Ｏデバイス３２０は、入力デバイスまたは出力デバイスと呼ばれることがある。
【００６０】
[0073]エッジコンピューティングデバイス１４５−ｂは、受信機２１０−ａと、エッジコンピューティングプラットフォーム２１５−ａと、送信機２２０−ａとを含むことができ、その各々が、図２を参照しながら説明したそれぞれの機能を実行することができる。エッジコンピューティングプラットフォーム２１５−ａは、入出力マネージャ３１５と、データアノテーションエンジン３１０と、拡張現実コーディネータ３０５とを含むことができる。エッジコンピューティングデバイス１４５−ｂは、エッジコンピューティングデバイス１４５−ｂの極近傍にあるデバイスをサービスするか、それと通信し得、すなわち、エッジコンピューティングデバイス１４５−ｂは、マクロセルに対して小さいサービスフットプリントを有することができる。たとえば、エッジコンピューティングデバイス１４５−ｂは、食品雑貨品店の通路、図書館の区画、イベントセンターの並び、博物館における展示などに位置するデバイスをサポートすることができる。いくつかの例では、デバイス１４５−ｂは、それが配置されたロケーション、環境、または周囲に固有の情報をキャッシュすることができる。エッジコンピューティングデバイス１４５−ｂはまた、ネイバーデバイス（たとえば、スモールセル基地局１５０、ワイヤレスデバイス１１５、エッジコンピューティングデバイス１４５など）に処理負担を動的に分散させることができる。
【００６１】
[0074]拡張現実コーディネータ３０５は、エッジコンピューティングデバイス１４５−ｂの超近傍（すなわち、非常に近く）に位置する入出力デバイスの挙動操作を容易にすることができる。拡張現実コーディネータ３０５は、受信機２１０−ａを介して外部エンティティ（たとえば、ワイヤレスデバイス１１５、入出力デバイス、または異なるデバイス１４５）から情報（たとえば、物理的コンテキストまたは動作状態情報）を受信することができる。受信情報は、エッジコンピューティングデバイス１４５−ｂの特定のロケーションまたはサービスフットプリントに関連付けられることができる。たとえば、拡張現実コーディネータ３０５は、近接したＩ／Ｏデバイス３２０からの報告中でセンサーデータを受信することができる。センサーデータは、個人の軌跡、他の個人のロケーション、物理的な周囲、視覚イベント、および可聴イベントを含む、Ｉ／Ｏデバイス３２０によって知覚される任意の観測可能な現象であり得る。
【００６２】
[0075]場合によっては、拡張現実コーディネータ３０５は、近くのワイヤレスデバイス１１５または別のデバイス１４５からコンテキスト、動作状態、または環境情報を受信し、利用することができる。追加または代替として、拡張現実コーディネータ３０５は、極近傍内のいくつかのＩ／Ｏデバイス３２０からの情報を使用し得、すなわち、拡張現実コーディネータ３０５は、２つ以上の外部ソースからの情報を組み合わせることができる。受信された情報に少なくとも部分的に基づいて、拡張現実コーディネータ３０５は、エッジコンピューティングデバイス１４５−ｂの超近傍にある外部デバイス（たとえば、Ｉ／Ｏデバイス３２０またはワイヤレスデバイス１１５）によって実行される行為を誘発することができる。行為は、スモールセルのフットプリント内の個人（たとえば、ワイヤレスデバイス１１５のユーザ）を刺激するのに役立つことができる。場合によっては、報告するデバイスと実行するデバイスとは同じデバイスであり、代替的には、報告するデバイスと実行するデバイスとは、２つの異なるデバイスであり得る。拡張現実コーディネータ３０５は、Ｉ／Ｏデバイス３２０またはワイヤレスデバイス１１５の行為を指示するために入出力マネージャ３１５と協働することができる。
【００６３】
[0076]たとえば、入出力マネージャ３１５は、拡張現実コーディネータ３０５から受け渡された情報を分析し、Ｉ／Ｏデバイス３２０のための所望の挙動を選択することができる。たとえば、入出力マネージャ３１５は、ディスプレイスクリーン上に表示されるべきである広告のタイプを決定することができる。一例では、センサー（たとえば、カメラ）は、近くの個人が特定のスポーツチームをプロモートするシャツを着ていることを検出し（、拡張現実コーディネータ３０５に中継し）することができる。この情報に基づいて、拡張現実コーディネータ３０５は、入出力マネージャ３１５と連携して、スポーツに関係する広告を選択することができる。別の例では、入出力マネージャ３１５は、ある種の広告をプロモートするためにロケーション情報を使用することができる。たとえば、入出力マネージャ３１５は、エッジコンピューティングデバイス１４５−ｂが多目的競技会場にあることを検出し、その知識に基づいてスポーツ広告を誘発することができる。より高いレベルの精巧化では、入出力マネージャ３１５は、現在見ている特定のスポーツを決定し、それに応じて広告を適合させることができる。ディスプレイスクリーンを参照しながら説明するが、ディスプレイは、個人に視覚的刺激を与える任意のデバイスであり得る。たとえば、ディスプレイは、明滅ライトまたはライトのアレイであり得る。
【００６４】
[0077]場合によっては、エッジコンピューティングプラットフォーム２１５−ａは、ベンダーに関連するＧｏｏｇｌｅ（登録商標）  ＡｄＷｏｒｄｓ（登録商標）を動的に変更するために（たとえば、Ｉ／Ｏデバイス３２０またはワイヤレスデバイス１１５からの）情報を使用することができる。たとえば、エッジコンピューティングプラットフォームは、ワイヤレスデバイス１１５の物理的動作コンテキストに基づいてある製品についてベンダーのＧｏｏｇｌｅ（登録商標）  ＡｄＷｏｒｄｓ（登録商標）を更新することができる。別の態様では、エッジコンピューティングプラットフォーム２１５−ａは、ワイヤレスデバイス１１５の物理的動作コンテキストに少なくとも部分的に基づいて広告入札（たとえば、リアルタイム入札（ＲＴＢ））を調整することができる。たとえば、エッジコンピューティングプラットフォーム２１５−ａは、ワイヤレスデバイス１１５のロケーションまたはユーザの特性に基づいて（たとえば、ユーザにとって視覚的興味のある対象に基づいて）広告入札を調整することができる。
【００６５】
[0078]場合によっては、入出力マネージャ３１５は、２つ以上のＩ／Ｏデバイス３２０を指示することができる。たとえば、エッジコンピューティングプラットフォーム２１５−ａは、個別の対象物または対象物のグループを識別するスマートタグをインプリメントすることができる（たとえば、棚のアイテムはそれぞれ、個別のライトなどのそれぞれのタグに関連付けられることができる）。１つのシナリオでは、エッジコンピューティングデバイス１４５−ｂは、図書館のある区画に位置し、個人が特定の対象に関心があること（たとえば、個人が個人のワイヤレスデバイス１１５上で特定の対象を探していること）を示す情報を受信することができる。したがって、入出力マネージャ３１５は、受信された情報を分析し、特定の対象に関連するスマートタグ（たとえば、書籍棚のＬＥＤ）にオンにするように命令することができる。いくつかの例では、入出力マネージャ３１５は、アクティブにされた床ライトの列が所望の対象物に通じるように床ライト（たとえば、フロアタイル中に埋め込まれたライト）をアクティブにすることによって所望の対象物への方向を与えることができる。追加または代替として、入出力マネージャ３１５は、壁または天井にある方向インジケータ（たとえば、矢印）をアクティブにすることができる。
【００６６】
[0079]別の例では、ワイヤレスデバイス１１５は、特定の書籍を探していることがある。ユーザは、書籍の大まかなロケーション（たとえば、書籍棚）を知ることができるが、書籍の位置を特定することができないことがある（たとえば、書籍が間違って棚に置かれていた）。そのようなシナリオでは、ユーザは、実際の現実拡張を受けるためにエッジコンピューティングデバイス１４５−ｂと相互作用することができる。たとえば、ユーザは、所望の書籍の表示（たとえば、表題）とともにエッジコンピューティングデバイス１４５−ｂに図書館の棚のピクチャを送ることができる。拡張現実コーディネータ３０５は、ピクチャを分析し、所望の書籍の位置を特定することができる。データアノテーションエンジン３１０は、書籍棚上での書籍のロケーションを示す（たとえば、ハイライトする）アノテーション付きピクチャをユーザに与えるために拡張現実コーディネータ３０５および送信機２２０−ａと協働することができる。
【００６７】
[0080]場合によっては、データアノテーションエンジン３１０はまた、言語追加を含むアノテーションを容易にすることができる。たとえば、アノテーションは、（たとえば、博物館の情報額からの）１つの言語のテキストのピクチャをオーバーレイし、第２の言語のテキストの翻訳を与えることができる。いくつかのシナリオでは、データアノテーションエンジン３１０は、方向のアノテーションを与えることができる。たとえば、データアノテーションエンジン３１０は、マップの画像の上に方向または命令（すなわち、マップアノテーション）をオーバーレイすることができる。方向は、特定の目的地へのルートを指定することができる。場合によっては、マップの画像の上のアノテーションは、史跡または回避すべき危険なエリアなどのエリアに関する追加情報を含むことができる。
【００６８】
[0081]場合によっては、入出力マネージャ３１５の決定は、可聴情報に基づくことができる。一例では、店舗にある入出力センサーは、顧客がある製品について質問があることを示す情報を送ることができる。たとえば、マイクロフォンは、製品に関する２人の顧客の間の会話を検出し、拡張現実コーディネータ３０５にその情報を中継することができる。拡張現実コーディネータ３０５は、（たとえば、ワイヤレスデバイス、表示装置、または可聴プロンプトを介して）販売員に警告し、顧客に導くために入出力マネージャ３１５と協働することができる。
【００６９】
[0082]データアノテーションエンジン３１０は、テキスト、画像、ビデオ、または他のタイプのデータのためのアノテーションを与えることを担当することができる。アノテーションは、エッジコンピューティングデバイス１４５−ｂの超近傍にあるワイヤレスデバイス１１５またはディスプレイデバイスに送信されるデータに付加されることができる。たとえば、ワイヤレスデバイス１１５のユーザは、博物館にある絵画のピクチャを撮り、エッジコンピューティングデバイス１４５−ｂに画像を送ることができる。エッジコンピューティングデバイス１４５−ｂは、絵画に関する情報（たとえば、起源、画家、技法、価格、歴史など）を取得し、データ、アノテーションエンジン３１０および送信機２２０−ａを使用して、データの上にアノテーションを付けられた情報とともに画像を返送することができる。一態様では、データアノテーションエンジン３１０は、アノテーション中に方向を含むことができる。たとえば、食品雑貨品店のスパイス区画中のエッジコンピューティングデバイス１４５−ｂのデータアノテーションエンジン３１０は、ユーザが特定のスパイスを発見することに関心があることを示す要求をユーザのワイヤレスデバイス１１５から受信することができる。要求は、テキスト（たとえば、スパイスの名前）または画像（たとえば、スパイスのピクチャ）であり得る。データアノテーションエンジン３１０は、ユーザのワイヤレスデバイス１１５に送信される要求のアノテーション付きバージョン中で特定のスパイスへの方向（たとえば、１０フィート先、西通路、第３の棚）を与えることができる。別の例では、データアノテーションエンジン３１０は、言語の追加を与えることができる。たとえば、データアノテーションエンジンは、異なる言語でのメニューの画像のアノテーション付きバージョンを与え得る（たとえば、メニューは、中国語で記載され、アノテーションは英語のメニューの翻訳を含むことができる）。
【００７０】
[0083]図４に、本開示の様々な態様による、ワイヤレス通信のために構成されたスモールセル基地局１５０−ｃを示す図４００を示す。スモールセル基地局１５０−ｃは、スモールセル基地局１５０−ｃとコロケートされたエッジコンピューティングデバイスを介してエッジコンピューティングリソースを与えることができる。スモールセル基地局１５０−ｃは、実際の現実を拡張するためにＩ／Ｏデバイス、および／またはスモールセル基地局１５０−ｄ、および／またはワイヤレスデバイス１１５−ｂと通信することができる。いくつかの態様では、スモールセル基地局１５０−ｃは、図１〜図３を参照しながら説明したエッジコンピューティングデバイス１４５の一例であり得る。スモールセル基地局１５０−ｃは、プロセッサ４０５と、メモリ４１０と、トランシーバ４３０と、アンテナ４３５と、エッジコンピューティングプラットフォーム２１５−ｂとを含むことができる。エッジコンピューティングプラットフォーム２１５−ｂは、図２〜図３のエッジコンピューティングプラットフォーム２１５の一例であり得る。いくつかの例では、スモールセル基地局１５０−ｃはまた、ネットワーク通信マネージャ４２０を含むことができる。プロセッサ４０５と、メモリ４１０と、トランシーバ４３０と、ネットワーク通信マネージャ４２０と、エッジコンピューティングプラットフォーム２１５−ｂとの各々は、直接または間接的に、少なくとも１つのバス４４０を介して互いに通信していることがある。
【００７１】
[0084]メモリ４１０は、ランダムアクセスメモリ（ＲＡＭ）と、読取り専用メモリ（ＲＯＭ）とを含み得る。メモリ４１０はまた、実行されたとき、プロセッサ４０５に、たとえば、図１Ａ、図１Ｂ、図２、および図３を参照しながらさらに説明したように、スモールセル基地局と通信しているワイヤレスデバイスにエッジコンピューティングリソースを与えるために本明細書で説明する様々な機能を実行することを行わせるように構成された命令を含んでいるコンピュータ可読、コンピュータ実行可能ソフトウェア（ＳＷ）コード４１５を記憶することができる。代替的に、コード４１５は、プロセッサ４０５によって直接的に実行可能でないことがあるが、（たとえば、コンパイルされ実行されたとき）エッジコンピューティングプラットフォーム２１５−ｂに本明細書で説明する機能を実行させるように構成されることができる。
【００７２】
[0085]プロセッサ４０５は、インテリジェントハードウェアデバイス（たとえば、中央処理ユニット（ＣＰＵ）、マイクロコントローラ、ＡＳＩＣなど）を含むことができる。プロセッサ４０５は、トランシーバ４３０および／またはネットワーク通信マネージャ４２０を通して受信された情報を処理することができる。プロセッサ４０５はまた、アンテナ４３５を通した送信のためにトランシーバ４３０に送られるべき情報、および／またはネットワーク通信マネージャ４２０に送られるべき情報を処理することができる。プロセッサ４０５は、単独でまたはエッジコンピューティングプラットフォーム２１５−ｂとともに、スモールセル基地局１５０−ｃに接続されたワイヤレスデバイスにエッジコンピューティングリソースを与えることに関係する様々な態様を扱うことができる。
【００７３】
[0086]トランシーバ４３０は、パケットを変調し、変調パケットを送信のためにアンテナ４３５に与え、ならびにアンテナ４３５から受信されたパケットを復調するように構成されたモデムを含むことができる。トランシーバ４３０は、少なくとも１つの送信機モジュールおよび少なくとも１つの別個の受信機モジュールとしてインプリメントされることができる。トランシーバ４３０は、たとえば、図１Ａおよび図１Ｂに示すように、アンテナ４３５を介して、少なくとも１つのワイヤレスデバイス１１５と双方向に通信するように構成されることができる。スモールセル基地局１５０−ｃは、通常、複数のアンテナ４３５（たとえば、アンテナアレイ）を含むことができる。スモールセル基地局１５０−ｃは、ネットワーク通信マネージャ４２０を通してコアネットワーク１３０−ｂと通信することができる。スモールセル基地局１５０−ｃは、トランシーバ４３０とアンテナ４３５とを使用して他のスモールセル基地局１５０と通信することができる。
【００７４】
[0087]スモールセル基地局１５０−ｃの構成要素は、図１Ａ、図１Ｂ、図２、および図３を参照しながら上記で説明した態様をインプリメントするように構成されることができ、それらの態様は、簡潔のためにここでは繰り返さない。さらに、スモールセル基地局１５０−ｃの構成要素は、図５〜図１２に関して以下で説明する態様をインプリメントするように構成されることができ、それらの態様は、簡潔のためにここでも繰り返さない。
【００７５】
[0088]図５に、本開示の様々な態様による、エッジコンピューティングデバイスをサポートするワイヤレス通信システム５００のブロック図を示す。ワイヤレス通信システム５００は、実際の現実の拡張を容易にし、それをサポートすることができる。ワイヤレス通信システム５００は、スモールセル基地局１５０−ｅを含み、これは、図１〜図４を参照しながら説明したスモールセル基地局１５０の態様の一例であり得る。スモールセル基地局１５０−ｅは、トランシーバ４３０−ａと、アンテナ４３５−ａと、プロセッサ４０５−ａと、ＳＷ４１５−ａを含むメモリ４１０−ａと、ネットワーク通信マネージャ４２０−ａとを含むことができ、その各々は、図５を参照しながら説明した特徴をインプリメントすることができ、その各々は、（たとえば、バス４４０−ａを介して）互いに直接または間接的に通信することができる。４２０−ａは、スモールセル基地局１５０−ｅとコアネットワーク１３０−ｃとの間の接続性を与えることができる。スモールセル基地局１５０−ｅはまた、エッジコンピューティングプラットフォーム２１５−ｃを含むことができ、これは、図２〜図４を参照しながら説明したエッジコンピューティングプラットフォームの一例であり得る。
【００７６】
[0089]拡張現実コーディネータ３０５−ａは、スモールセル基地局１５０−ｅのフットプリント内の周囲または環境の態様に関してワイヤレスデバイス１１５−ｃまたはスモールセル基地局１５０−ｆなどの外部エンティティから入力を受信することができる。場合によっては、入力は、ワイヤレスデバイス１１５−ｃの物理的動作コンテキストであり得る。ワイヤレスデバイスの物理的動作コンテキストは、ワイヤレスデバイス１１５−ｃのロケーションまたは位置および／あるいはそのロケーションまたは位置に関連するワイヤレスデバイス１１５−ｃの挙動に関係する情報であり得る。たとえば、ワイヤレスデバイス１１５の物理的動作コンテキストは、ワイヤレスデバイス１１５が食品雑貨品店のスープ通路中にあり、いくつかの成分を使用するスープを調べていることを示す情報を含むことができる。いくつかの態様では、入力は、ワイヤレスデバイス１１５−ｃによって行われたコンテンツについての要求であり得る。追加または代替として、拡張現実コーディネータ３０５−ａは、カメラ５１５またはマイクロフォン５２５などのセンサーデバイスから情報を受信することができる。場合によっては、センサーから受信された情報は、ワイヤレスデバイス１１５の物理的動作コンテキストを示すことができる。拡張現実コーディネータ３０５−ａは、トランシーバ４３０−ａ、アンテナ４３５−ａ、および入出力マネージャ３１５−ａとの協働を介して入力または情報を受信することができる。
【００７７】
[0090]受信された情報を使用して、拡張現実コーディネータ３０５−ａは、入出力マネージャ３１５−ａと連携して、ワイヤレスデバイス１１５の物理的動作コンテキストを決定することができる。追加または代替として、スモールセル基地局１５０−ｅは、実際の現実を拡張する外部デバイス（たとえば、ディスプレイスクリーン５０５、スピーカー５１０、ＬＥＤ５３０、ロボット５３５、またはライト５２０などのＩ／Ｏデバイス）による行為を容易にすることができる。たとえば、拡張現実コーディネータ３０５−ａは、受信された情報を分析し（たとえば、ワイヤレスデバイス１１５−ｃからのコンテンツ要求を走査するか、またはマイクロフォン５２５によって報告された会話を分析し）、適切な拡張現実応答を決定することができる。拡張現実コーディネータ３０５−ａは、応答を搬送するのに好適な外部エンティティおよび行為を決定または選択するために入出力マネージャ３１５−ａと協調することができる。選択に基づいて、入出力マネージャ３１５−ａは、現実を拡張する行為を実行する（たとえば、会場に固有の広告を表示する）ために適切な出力デバイス（たとえば、ディスプレイスクリーン５０５）と通信することができる。たとえば、入出力マネージャ３１５−ａは、あるタスクを実行する（たとえば、特定のロケーションに個人を導く）ことをロボット５３５に行わせる命令をロボット５３５に通信することができる。ロボット５３５は、スクリーン、カメラ、マイクロフォン、ＬＥＤ、ライトなどの１つまたは複数のＩ／Ｏデバイスを含むことができる。
【００７８】
[0091]場合によっては、拡張現実コーディネータは、ワイヤレスデバイス１１５にアノテーション付きデータを与えるためにデータアノテーションエンジン３１０−ａと協働することができる。たとえば、拡張現実コーディネータは、ワイヤレスデバイス１１５−ｃからデータ（たとえば、画像）と情報とを受信し、アノテーションのための適切なテキストを決定するためにデータアノテーションエンジン３１０−ａと通信することができる。相応して、エッジコンピューティングプラットフォーム２１５−ｃは、ワイヤレスデバイス１１５−ｃにアノテーション付きデータを送ることができる。
【００７９】
[0092]図６に、本開示の様々な態様による、スモールセル基地局１５０−ｇとコロケートされたエッジコンピューティングリソースを与えるために構成されたエッジコンピューティングデバイス１４５−ｃを示す図６００を示す。図６では、スモールセル基地局１５０−ｇは、エッジコンピューティングデバイス１４５−ｃとは物理的に別個のものである。エッジコンピューティングデバイス１４５−ｃは、プロセッサ６０５と、メモリ６１０と、スモールセル通信マネージャ６２０と、エッジコンピューティングプラットフォーム２１５−ｂとを含むことができる。
【００８０】
[0093]エッジコンピューティングプラットフォーム２１５−ｄは、図２〜図５のエッジコンピューティングプラットフォーム２１５の一例の１つまたは複数の態様であり得る。エッジコンピューティングプラットフォーム２１５−ｄは、エッジコンピューティングデバイス１４５−ｃのスモールセル通信マネージャ６２０を介してコアネットワーク１３０−ｄと通信することができる。いくつかの態様では、スモールセル基地局１５０−ｇおよびスモールセル基地局１５０−ｈは、図１Ａ〜図１Ｂおよび図４〜図５のスモールセル基地局１５０の一例であり得、ワイヤレスデバイス１１５−ｄは、図１Ａ〜図１Ｂおよび図４〜図５のワイヤレスデバイス１１５の一例であり得る。
【００８１】
[0094]エッジコンピューティングデバイス１４５−ｃの構成要素は、図１Ａ〜図５を参照しながら上記で説明した態様をインプリメントするように構成され得、それらの態様は、簡潔のためにここでは繰り返さないことがある。
【００８２】
[0095]プロセッサ６０５は、図４のプロセッサ４０５の一例であり得る。プロセッサ６０５は、インテリジェントハードウェアデバイス（たとえば、ＣＰＵ、マイクロコントローラ、ＡＳＩＣなど）を含むことができる。プロセッサ６０５は、スモールセル通信マネージャ６２０またはエッジコンピューティングプラットフォーム２１５−ｄを通して受信された情報を処理することができる。プロセッサ６０５はまた、スモールセル通信マネージャ６２０を通した送信のためにトランシーバ４３０に送られるべき情報を処理することができる。プロセッサ６０５は、単独でまたはエッジコンピューティングプラットフォーム２１５−ｄとともに、スモールセル基地局１５０−ｇに接続されたワイヤレスデバイスにエッジコンピューティングリソースを与えることに関係する様々な態様を扱うことができる。いくつかの例では、プロセッサ６０５は、エッジコンピューティングプラットフォーム２１５−ｄである。
【００８３】
[0096]メモリ６１０は、図４のメモリ４１０の一例であり得る。メモリ６１０は、実行されたとき、プロセッサ６０５に、たとえば、図１Ａ〜図５を参照しながらさらに説明したように、スモールセルに接続されたワイヤレスデバイスにエッジコンピューティングリソースを与えるために本明細書で説明する様々な機能を実行することを行わせるように構成された命令を含んでいるコンピュータ可読、コンピュータ実行可能ソフトウェア（ＳＷ）コード６１５を記憶することができる。代替的に、コード６１５は、プロセッサ６０５によって直接的に実行可能でないことがあるが、たとえば、コンパイルされ実行されたとき、コンピュータに本明細書で説明する機能を実行させるように構成されることができる。
【００８４】
[0097]さらに、エッジコンピューティングデバイス１４５−ｃの構成要素は、図７〜図１２に関連して以下で説明する態様をインプリメントするように構成されることができ、それらの態様は、簡潔のためにここでは繰り返されないことがある。
【００８５】
[0098]図７に、本開示の様々な態様による、実際の現実を拡張するためのエッジコンピューティングリソースをサポートするプロセスフロー７００の一例を示す。プロセスフロー７００は、エッジコンピューティングデバイス１４５−ｄと、ワイヤレスデバイス１１５−ｅと、Ｉ／Ｏデバイス３２０−ａとを含むことができ、その各々は、図１〜図６を参照しながら説明したそれぞれの機能を実行することができる。エッジコンピューティングデバイス１４５−ｄは、スモールセル基地局１５０とコロケートされることができる。エッジコンピューティングデバイス１４５−ｄは、エッジコンピューティングデバイス１４５−ｄに超近接している通信デバイスのためのサービスを使用可能にするカバレージエリアまたはサービスフットプリントを有することができ、したがって、エッジコンピューティングデバイス１４５−ｄは、エッジコンピューティングデバイス１４５−ｄが位置するロケーションの詳しい詳細および態様に気づいていることがある。したがって、エッジコンピューティングデバイス１４５−ｄは、より大きいセル（たとえば、マクロセル）よりも細かい細分度の命令を通信デ
ワイヤレスデバイス１１５−ｅおよびＩ／Ｏデバイス３２０−ａはどちらも、エッジコンピューティングデバイス１４５−ｄの超近傍に位置することができる。
【００８６】
[0099]７０５において、ワイヤレスデバイス１１５−ｅは、コンテンツについての要求を送信する。エッジコンピューティングデバイス１４５−ｄは、コンテンツについての要求を受信することができる。要求は、エッジコンピューティングデバイス１４５−ｄを、または別のエンティティを対象とすることができる（たとえば、エッジコンピューティングデバイス１４５−ｄは、中継ポイントとして働き、別のエンティティに要求を通信することができる）。要求の最終目的地にかかわらず、７１０において、エッジコンピューティングデバイス１４５−ｄは、ワイヤレスデバイス１１５−ｅのユーザの興味またはワイヤレスデバイス１１５−ｅの動作コンテキストを決定するために要求されたコンテンツを走査することができる。たとえば、エッジコンピューティングデバイス１４５−ｄは、ワイヤレスデバイス１１５がキャンピングギアを調べていたと決定することができる。走査から取得された情報に少なくとも部分的に基づいて、エッジコンピューティングデバイス１４５−ｄは、ワイヤレスデバイス１１５−ｅの物理的動作コンテキスト（たとえば、エッジコンピューティングデバイス１４５−ｄのカバレージエリア内でワイヤレスデバイス１１５−ｅがどのように使用されているのか）を決定することができる。場合によっては、エッジコンピューティングデバイス１４５−ｄは、ワイヤレスデバイス１１５−ｅの物理的動作コンテキストを決定するためにＩ／Ｏデバイス３２０からの情報を使用することができる。たとえば、エッジコンピューティングデバイス１４５−ｄは、ロケーションの周囲温度を示すサーモメータからデータを取得することができる。いくつかの例では、データは、Ｉ／Ｏデバイスまたはエッジコンピューティングデバイス１４５−ｄのいずれかに記憶されている前の測定値からのものであり得る。
【００８７】
[0100]７２０において、エッジコンピューティングデバイス１４５−ｄは、実際の現実（たとえば、ワイヤレスデバイス１１５−ｅのユーザの自力の感覚によって知覚できる環境の態様）を拡張するための行為を決定し得る。たとえば、エッジコンピューティングデバイス１４５−ｄは、ワイヤレスデバイスの近くのディスプレイスクリーン上の広告を（たとえば、アウトドアギアを特徴としたものに）変更することを決定し得る。したがって、個人に与えられる刺激は、デバイス（たとえば、ワイヤレスデバイス１１５−ｅまたはＩ／Ｏデバイス３２０）によって検出された環境の態様に応じたものであり得る。刺激を生成する行為は、エッジコンピューティングデバイス１４５−ｄのロケーション、ワイヤレスデバイス１１５−ｅの配置、および７０５からの要求のコンテンツを分析することによって決定されることができる。場合によっては、Ｉ／Ｏデバイス３２０からの入力は、行為の選択に寄与することができる。行為が決定されると、エッジコンピューティングデバイス１４５−ｄは、実行されるべき行為を示すコマンドをＩ／Ｏデバイス３２０−ａに送ることができる。相応して、Ｉ／Ｏデバイス３２０−ａは、コマンドによって搬送される命令に従ってワイヤレスデバイス１１５−ｅのユーザを刺激するためにそれの挙動を変更することができる。たとえば、Ｉ／Ｏデバイス３２０−ａは、個人の予測された興味をターゲットにするように広告を切り替えるディスプレイスクリーンであり得る。
【００８８】
[0101]図８に、本開示の様々な態様による、実際の現実を拡張するためのエッジコンピューティングリソースをサポートするプロセスフロー８００の一例を示す。プロセスフロー８００は、エッジコンピューティングデバイス１４５−ｅと、Ｉ／Ｏデバイス３２０−ｂと、Ｉ／Ｏデバイス３２０−ｃとを含み得、その各々は、図１〜図７を参照しながら説明したそれぞれの機能を実行することができる。エッジコンピューティングデバイス１４５−ｅは、エッジコンピューティングデバイス１４５−ｅに超近接している通信デバイスのためのサービスを使用可能にするカバレージエリアまたはフットプリントを有することができる。
【００８９】
[0102]８０５において、Ｉ／Ｏデバイス３２０−ｂは、周囲の態様を検出することができる（たとえば、Ｉ／Ｏデバイスは、マイクロフォン、サーモメータ、光センサーなどの感知構成要素を含むことができる）。８１０において、Ｉ／Ｏデバイス３２０−ｂは、Ｉ／Ｏデバイス３２０−ｂによって感知された周囲の態様を示す情報を含む報告を送信することができ、エッジコンピューティングデバイス１４５−ｅは、それを受信することができる。この報告に少なくとも部分的に基づいて、エッジコンピューティングデバイス１４５−ｅは、近傍にあるワイヤレスデバイス１１５（図示せず）の物理的動作コンテキストを決定することができる。ワイヤレスデバイス１１５の物理的動作コンテキストはまた、ワイヤレスデバイス１１５または別のエンティティ（たとえば、別のエッジコンピューティングデバイス１４５、スモールセル基地局１５０、または別のＩ／Ｏデバイス３２０）から受信された入力に基づくことができる。
【００９０】
[0103]８２０において、エッジコンピューティングデバイス１４５−ｅは、エッジコンピューティングデバイス１４５−ｅの超近傍にある個人を刺激することによって実際の現実を拡張するための行為を決定することができる。行為は、ワイヤレスデバイス１１５の物理的動作コンテキストに少なくとも部分的に基づくことができる。代替的に、場合によっては、エッジコンピューティングデバイス１４５−ｅは、ワイヤレスデバイス１１５の物理的動作コンテキストを決定することなしに刺激を決定することができ、すなわち、行為は、ワイヤレスデバイス１１５とは無関係であり得る。８２５において、エッジコンピューティングデバイス１４５−ｅは、Ｉ／Ｏデバイス３２０−ｃにコマンドを送ることができる。コマンドは、Ｉ／Ｏデバイス３２０−ａによって取られるべき行為を示すことができる。相応して、８３０において、Ｉ／Ｏデバイス３２０−ａは、個人を刺激するようにそれの挙動を調整することができ、言い換えれば、Ｉ／Ｏデバイスは、コマンドによって示された行為を実行することができる。場合によっては、コマンドを受信するＩ／Ｏデバイス３２０は、報告を送った同じＩ／Ｏデバイス３２０であり得る。
【００９１】
[0104]図９に、本開示の様々な態様による、実際の現実を拡張するためのエッジコンピューティングリソースをサポートするプロセスフロー９００の一例を示す。プロセスフロー９００は、エッジコンピューティングデバイス１４５−ｆと、ワイヤレスデバイス１１５−ｆとを含むことができ、その各々は、図１〜図６を参照しながら説明したそれぞれの機能を実行することができる。ワイヤレスデバイス１１５−ｆは、エッジコンピューティングデバイス１４５−ｆおよびスモールセル基地局１５０に超近接していることがある。
【００９２】
[0105]９０５において、ワイヤレスデバイス１１５−ｆは、アノテーションのためのあるデータを選択することができる。たとえば、ワイヤレスデバイス１１５−ｆの使用は、画像、テキスト、またはピクチャを選択することができる。９１０において、ワイヤレスデバイス１１５−ｆは、エッジコンピューティングデバイス１４５−ｆへのアノテーション向けのデータを送信することができる。９１５に進み、エッジコンピューティングデバイス１４５−ｆは、ワイヤレスデバイス１１５−ｆの物理的動作コンテキストを決定することができる。ワイヤレスデバイス１１５−ｆの物理的動作コンテキストは、受信データ、ワイヤレスデバイス１１５−ｆからの他の情報、または他の通信デバイス（たとえば、スモールセル１５０またはＩ／Ｏデバイス３２０）からの情報に基づくことができる。９２０において、エッジコンピューティングデバイス１４５−ｆは、（たとえば、画像の上にテキストをオーバーレイすることによる）データへのアノテーションを決定し、適用することができる。アノテーションは、受信データに少なくとも部分的に基づき得る。アノテーションは、ワイヤレスデバイス１１５−ｆの物理的動作コンテキストに少なくとも部分的に基づくことができる。場合によっては、アノテーションは、外部ソースから収集された情報に関連付けられることができる。いくつかの態様では、データにアノテーションを付けることは、データコンテンツに広告付きのアノテーションを付けることを含む。９２５に進み、エッジコンピューティングデバイス１４５−ｆは、ワイヤレスデバイス１１５−ｆにアノテーション付きデータを送信することができる。
【００９３】
[0106]図１０は、本開示の様々な態様による、ワイヤレス通信のための方法１０００の一例を示すフローチャートである。方法１０００の動作は、図１〜図９を参照しながら説明したように、エッジコンピューティングデバイスまたはそれの構成要素によってインプリメントされることができる。たとえば、方法１０００の動作は、図２〜図６を参照しながら説明したように、エッジコンピューティングプラットフォームによって実行されることができる。いくつかの例では、デバイスは、以下で説明する機能を実行するようにデバイスの機能要素を制御するためのコードのセットを実行することができる。追加または代替として、デバイスは、専用ハードウェアを使用して、以下で説明する機能態様を実行することができる。
【００９４】
[0107]１００５において、エッジコンピューティングデバイスは、モバイルデバイスによってトリガされたスモールセル中の基地局への入力に少なくとも部分的に基づいてスモールセル中のモバイルデバイスの物理的動作コンテキストを決定することができる。基地局への入力をトリガするモバイルデバイスは、物理的動作コンテキストが決定された同じモバイルデバイスであり得る。基地局は、エッジコンピューティングデバイスとコロケートされることができる。場合によっては、基地局のワイヤレス通信リソースは、第１のモジュール中に格納され、エッジコンピューティングデバイスは、第２のモジュール中に格納される。いくつかの態様では、第２のモジュールは、第１のモジュールと通信している。第１のモジュールと第２のモジュールとはコロケートされることができる。スモールセルは、ピコセル、フェムトセル、マイクロセル、またはＷｉ−Ｆｉアクセスポイントであり得る。いくつかの例では、スモールセルは、ＷＷＡＮトランシーバとＷＬＡＮトランシーバとを含む。１０１０において、エッジコンピューティングデバイスは、決定された物理的動作コンテキストに少なくとも部分的に基づいてモバイルデバイスのユーザに刺激を与えるように出力デバイス（たとえば、Ｉ／デバイス）を制御することができる。場合によっては、出力デバイスは、モバイルデバイスの物理的動作コンテキストを決定するためにエッジコンピューティングデバイスが活用する情報をエッジコンピューティングデバイスに与える。出力デバイスは、ディスプレイ、１つまたは複数のライト、ライトのアレイ、またはプリンタであり得る。
【００９５】
[0108]図１１に、本開示の様々な態様による、ワイヤレス通信のための方法１１００を示すフローチャートを示す。方法１１００の動作は、図１〜図９を参照しながら説明したように、エッジコンピューティングデバイスまたはそれの構成要素によってインプリメントされることができる。たとえば、方法１１００の動作は、図２〜図６を参照しながら説明したように、エッジコンピューティングプラットフォームによって実行されることができる。いくつかの例では、デバイスは、以下で説明する機能を実行するようにデバイスの機能要素を制御するためのコードのセットを実行することができる。追加または代替として、デバイスは、専用ハードウェアを使用して、以下で説明する機能態様を実行することができる。方法１０００はまた、図１０の方法１０００の態様を組み込むことができる。
【００９６】
[0109]１１０５において、スモールセル中のエッジコンピューティングデバイスは、スモールセル中のモバイルデバイスからコンテンツについての要求を受信することができる。コンテンツについての要求は、エッジコンピューティングデバイスを、または異なるターゲット通信デバイス（たとえば、スモールセル中のエッジコンピューティングデバイスとコロケートされた基地局）を対象とすることができる。場合によっては、コンテンツについての要求は、情報についてのクエリ(query)を含む。１１１０において、エッジコンピューティングデバイスは、要求のコンテンツを走査することができる。たとえば、エッジコンピューティングデバイスは、要求によって搬送される情報を分析することができる。１１１５に進み、エッジコンピューティングデバイスは、要求のコンテンツに少なくとも部分的に基づいてワイヤレスデバイスの物理的動作コンテキストを決定することができる。１１２０において、エッジコンピューティングデバイスは、モバイルデバイスの物理的動作コンテキストに少なくとも部分的に基づいてディスプレイを制御することができる。ディスプレイは、スモールセル内にあり得る。
【００９７】
[0110]図１２に、本開示の様々な態様による、ワイヤレス通信のための方法１２００を示すフローチャートを示す。方法１２００の動作は、図１〜図９を参照しながら説明したように、エッジコンピューティングデバイスまたはそれの構成要素によってインプリメントされることができる。たとえば、方法１２００の動作は、図２〜図６を参照しながら説明したように、エッジコンピューティングプラットフォームによって実行されることができる。いくつかの例では、デバイスは、以下で説明する機能を実行するようにデバイスの機能要素を制御するためのコードのセットを実行することができる。追加または代替として、デバイスは、専用ハードウェアを使用して、以下で説明する機能態様を実行することができる。方法１２００はまた、図１０および図１１の方法１０００および１１００の態様を組み込むことができる。
【００９８】
[0111]１２０５において、エッジコンピューティングデバイスは、センサー（たとえば、Ｉ／Ｏデバイス）からセンサーデータを収集することができる。エッジコンピューティングデバイスとセンサーとは、スモールセル内に位置することができる。１２１０において、エッジコンピューティングデバイスは、センサーデータを分析することができる。センサーデータは、周期的に、要求時に、または外部トリガ（たとえば、センサーの周囲の態様の変化）に基づいて収集されることができる。センサーは、マイクロフォン、温度センサー、光センサー、またはカメラであり得る。１２１５に進み、エッジコンピューティングデバイスは、スモールセル内のモバイルデバイスの物理的動作コンテキストを決定することができる。物理的動作コンテキストは、センサーデータの分析に少なくとも部分的に基づくことができる。場合によっては、物理的動作コンテキストは、２つ以上のセンサーからの情報に基づくことができる。１２２０において、エッジコンピューティングデバイスは、モバイルデバイスのユーザに刺激を与えるようにスモールセル内の出力デバイスを制御することができる。刺激は、モバイルデバイスの物理的動作コンテキストに少なくとも部分的に基づくことができる。
【００９９】
[0112]添付の図面に関して上記に記載した発明を実施するための形態は、例を説明しており、インプリメントされ得るまたは特許請求の範囲内に入る唯一の例を表すものではない。「例」および「例示的」という語は、この説明で使用されるとき、「例、事例、または例示の働きをすること」を意味し、「好ましい」または「他の例よりも有利な」を意味しない。詳細な説明は、説明する技法の理解を与えるための具体的な詳細を含む。ただし、これらの技法は、これらの具体的な詳細なしに実施されることができる。いくつかの事例では、説明する例の概念を不明瞭にすることを回避するために、よく知られている構造および装置がブロック図の形式で示されている。
【０１００】
[0113]情報および信号は、多種多様な技術および技法のいずれかを使用して表され得る。たとえば、上の説明全体にわたって参照され得るデータ、命令、コマンド、情報、信号、ビット、シンボル、およびチップは、電圧、電流、電磁波、磁場もしくは磁気粒子、光場もしくは光粒子、またはそれらの任意の組合せによって表されることができる。
【０１０１】
[0114]本明細書の開示に関して説明した様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いてインプリメントまたは実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としてもインプリメントされることができる。
【０１０２】
[0115]本明細書で説明する機能は、ハードウェア、プロセッサによって実行されるソフトウェア、ファームウェア、またはそれらの任意の組合せでインプリメントされることができる。プロセッサによって実行されるソフトウェアにおいてインプリメントされる場合、機能は、１つまたは複数の命令またはコードとしてコンピュータ可読媒体上に記憶されるか、またはコンピュータ可読媒体を介して送信されることができる。他の例およびインプリメンテーションは、本開示および添付の特許請求の範囲および趣旨内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用してインプリメントされることができる。機能をインプリメントする特徴はまた、機能の部分が、異なる物理的ロケーションにおいてインプリメントされるように分散されることを含めて、様々な位置に物理的に配置されることができる。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用されることができることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１０３】
[0116]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用されることができ、汎用コンピュータもしくは専用コンピュータ、または汎用プロセッサもしくは専用プロセッサによってアクセスされることができる、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は通常、データを磁気的に再生し、ディスク（disc）は、データをレーザーで光学的に再生する。上記の組合せもコンピュータ可読媒体の範囲内に含まれる。
【０１０４】
[0117]本開示についての以上の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用されることができる。したがって、本開示は、本明細書で説明した例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信のための方法であって、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を備える、方法。
［Ｃ２］
前記出力デバイスを制御することが、前記スモールセル中の前記モバイルデバイスによって行われたコンテンツについての要求にさらに少なくとも部分的に基づき、前記方法が、
コンテンツについての前記要求のコンテンツを走査すること
をさらに備える、［Ｃ１］に記載の方法。
［Ｃ３］
前記出力デバイスを制御することが、
ディスプレイに対する前記モバイルデバイスの近接度に少なくとも部分的に基づいて前記ディスプレイを制御すること
を備える、［Ｃ１］に記載の方法。
［Ｃ４］
前記モバイルデバイスの前記物理的動作コンテキストを決定することが、
前記スモールセル中のセンサーからセンサーデータを収集することと、
前記モバイルデバイスの前記物理的動作コンテキストを決定するために前記センサーデータを分析することと
を備える、［Ｃ１］に記載の方法。
［Ｃ５］
前記センサーが、マイクロフォン、温度センサー、光センサー、またはカメラのうちの１つまたは複数である、［Ｃ４］に記載の方法。
［Ｃ６］
前記決定された物理的動作コンテキストに少なくとも部分的に基づいてデータコンテンツにアノテーションを付けることと、
前記モバイルデバイスに前記アノテーション付きデータコンテンツを送信することと  をさらに備える、［Ｃ１］に記載の方法。
［Ｃ７］
前記データコンテンツにアノテーションを付けることが、前記データコンテンツに広告付きのアノテーションを付けることを備える、［Ｃ６］に記載の方法。
［Ｃ８］
前記出力デバイスが、ディスプレイ、１つまたは複数のライト、ライトのアレイ、サイン、またはプリンタを備える、［Ｃ１］に記載の方法。
［Ｃ９］
前記基地局のワイヤレス通信リソースが、第１のモジュール中に格納され、
前記エッジコンピューティングデバイスが、前記第１のモジュールと通信しており、それとコロケートされた第２のモジュール中に格納される、［Ｃ１］に記載の方法。
［Ｃ１０］
前記スモールセルが、ピコセル、フェムトセル、マイクロセル、またはＷｉ−Ｆｉ（登録商標）アクセスポイントのうちの１つである、［Ｃ１］に記載の方法。
［Ｃ１１］
前記スモールセルが、ワイヤレスワイドエリアネットワーク（ＷＷＡＮ）トランシーバとワイヤレスローカルエリアネットワーク（ＷＬＡＮ）トランシーバとを備える、［Ｃ１］に記載の方法。
［Ｃ１２］
ワイヤレスデバイスにおけるワイヤレス通信のための装置であって、
スモールセル中の基地局へのモバイルデバイスによってトリガされた入力に少なくとも部分的に基づいて前記スモールセル中のモバイルデバイスの物理的動作コンテキストを決定するための手段と、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御するための手段と
を備える、装置。
［Ｃ１３］
前記出力デバイスを制御するための前記手段が、前記スモールセル中の前記モバイルデバイスによって行われたコンテンツについての要求にさらに少なくとも部分的に基づき、前記装置が、
コンテンツについての前記要求のコンテンツを走査するための手段
をさらに備える、［Ｃ１２］に記載の装置。
［Ｃ１４］
前記出力デバイスを制御するための前記手段が、
ディスプレイに対する前記モバイルデバイスの近接度に少なくとも部分的に基づいて前記ディスプレイを制御するための手段
を備える、［Ｃ１２］に記載の装置。
［Ｃ１５］
前記モバイルデバイスの前記物理的動作コンテキストを決定するための前記手段が、  前記スモールセル中のセンサーからセンサーデータを収集するための手段
を備え、
前記装置が、
前記モバイルデバイスの前記物理的動作コンテキストを決定するために前記センサーデータを分析するための手段
をさらに備える、［Ｃ１２］に記載の装置。
［Ｃ１６］
前記センサーが、マイクロフォン、温度センサー、光センサー、またはカメラのうちの１つまたは複数である、［Ｃ１５］に記載の装置。
［Ｃ１７］
前記決定された物理的動作コンテキストに少なくとも部分的に基づいてデータコンテンツにアノテーションを付けるための手段と、
前記モバイルデバイスに前記アノテーション付きデータコンテンツを送信するための手段と
をさらに備える、［Ｃ１２］に記載の装置。
［Ｃ１８］
前記データコンテンツにアノテーションを付けるための手段が、前記データコンテンツに広告付きのアノテーションを付けること
をさらに備える、［Ｃ１７］に記載の装置。
［Ｃ１９］
前記出力デバイスが、ディスプレイ、１つまたは複数のライト、ライトのアレイ、サイン、またはプリンタを備える、［Ｃ１２］に記載の装置。
［Ｃ２０］
前記基地局のワイヤレス通信リソースが、第１のモジュール中に格納され、前記エッジコンピューティングデバイスが、前記第１のモジュールと通信しており、それとコロケートされた第２のモジュール中に格納される、［Ｃ１２］に記載の装置。
［Ｃ２１］
前記スモールセルが、ピコセル、フェムトセル、マイクロセル、またはＷｉ−Ｆｉアクセスポイントのうちの１つである、［Ｃ１２］に記載の装置。
［Ｃ２２］
前記スモールセルが、ワイヤレスワイドエリアネットワーク（ＷＷＡＮ）トランシーバとワイヤレスローカルエリアネットワーク（ＷＬＡＮ）トランシーバとを備える、［Ｃ１２］に記載の装置。
［Ｃ２３］
ワイヤレスデバイスにおける通信のための装置であって、
プロセッサと、
前記プロセッサと電子通信しているメモリと、
前記メモリ中に記憶された命令と、ここにおいて、前記命令が、前記プロセッサによって、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を行うように実行可能である、
を備える、装置。
［Ｃ２４］
前記出力デバイスを制御するための前記命令が、前記スモールセル中の前記モバイルデバイスによって行われたコンテンツについての要求にさらに少なくとも部分的に基づく、ここにおいて、前記命令が、前記プロセッサによって、
コンテンツについての前記要求のコンテンツを走査すること
を行うようにさらに実行可能である、［Ｃ２３］に記載の装置。
［Ｃ２５］
前記出力デバイスを制御するための前記命令が、
ディスプレイに対する前記モバイルデバイスの近接度に少なくとも部分的に基づいて前記ディスプレイを制御すること
を行うための命令を備える、［Ｃ２３］に記載の装置。
［Ｃ２６］
前記モバイルデバイスの前記物理的動作コンテキストを決定するための前記命令が、  前記スモールセル中のセンサーからセンサーデータを収集することと、
前記モバイルデバイスの前記物理的動作コンテキストを決定するために前記センサーデータを分析することと
を行うための命令を備える、［Ｃ２３］に記載の装置。
［Ｃ２７］
前記命令が、前記プロセッサによって、
前記決定された物理的動作コンテキストに少なくとも部分的に基づいてデータコンテンツにアノテーションを付けることと、
前記モバイルデバイスに前記アノテーション付きデータコンテンツを送信することと  を行うように実行可能である、［Ｃ２３］に記載の装置。
［Ｃ２８］
ワイヤレスデバイスにおける通信のためのコードを記憶する非一時的コンピュータ可読媒体であって、前記コードが、
スモールセル中の基地局へのモバイルデバイスによってトリガされた入力に少なくとも部分的に基づいて前記スモールセル中のモバイルデバイスの物理的動作コンテキストを決定することと、ここにおいて、前記基地局が、エッジコンピューティングデバイスとコロケートされる、
前記エッジコンピューティングデバイスによって、前記決定された物理的動作コンテキストに少なくとも部分的に基づいて前記モバイルデバイスのユーザに刺激を与えるように出力デバイスを制御することと
を行うように実行可能な命令を備える、非一時的コンピュータ可読媒体。
［Ｃ２９］
前記出力デバイスを制御するための前記命令が、前記スモールセル中の前記モバイルデバイスによって行われたコンテンツについての要求にさらに少なくとも部分的に基づく、ここにおいて、前記命令が、
コンテンツについての前記要求のコンテンツを走査すること
を行うようにさらに実行可能である、［Ｃ２８］に記載の非一時的コンピュータ可読媒体。
［Ｃ３０］
前記命令が、
前記スモールセル中のセンサーからセンサーデータを収集することと、
前記モバイルデバイスの前記物理的動作コンテキストを決定するために前記センサーデータを分析することと
を行うようにさらに実行可能である、［Ｃ２８］に記載の非一時的コンピュータ可読媒体。
【図１Ａ】
0006676750.tif 000002
【図１Ｂ】
0006676750.tif 000003
【図２】
0006676750.tif 000004
【図３】
0006676750.tif 000005
【図４】
0006676750.tif 000006
【図５】
0006676750.tif 000007
【図６】
0006676750.tif 000008
【図７】
0006676750.tif 000009
【図８】
0006676750.tif 000010
【図９】
0006676750.tif 000011
【図１０】
0006676750.tif 000012
【図１１】
0006676750.tif 000013
【図１２】
0006676750.tif 000014